(57)【要約】【課題】ＡＣ電力ネットワークに物理的に適合したＡＣ送電マーケットシステムを提供すると共に、重要フローゲートを通る送電権が、タイムリで信頼性が高く且つＡＣ電力ネットワークの正しい管理を自動的に保証する効率的な態様で取引され得るような方法とメカニズムを提供すること。【解決手段】少なくとも一つのフローゲートを含むフローゲート集合を有するＡＣ電力ネットワーク上でのＡＣ電力移送を契約する方法及びシステムが請求されている。この方法及びシステムは、前記ＡＣ電力ネットワーク上でのＡＣ電力移送を契約するステップにして、更に前記フローゲート集合の各前記フローゲートでの関連ＡＣ電力移送を契約するサブステップを有するステップを含む。【選択図】  図６
2004500794.tif 000002
【特許請求の範囲】
【請求項１】
少なくとも一つのフローゲートを含むフローゲート集合を有するＡＣ電力ネットワーク上でのＡＣ電力移送を契約する方法であって、
第一の時間間隔に亘って行われるように、当該ＡＣ電力ネットワーク上でのＡＣ電力移送を契約するステップと、
少なくとも当該第一の時間間隔に亘って行われるように、当該フローゲート集合の各当該フローゲートでの当該関連ＡＣ電力移送を契約するステップと、
ＡＣ電力ネットワーク上での少なくとも二つのＡＣ電力移送のＡＣ電力移送集合を契約するステップと、
当該フローゲート集合の各当該フローゲートでの当該ＡＣ電力移送集合の各当該ＡＣ電力移送に対する当該関連ＡＣ電力移送の合計を契約するステップを有するステップとを、
備える方法。
【請求項２】
当該ＡＣ電力ネットワーク上でのＡＣ電力移送を契約するステップが、第一の時間間隔に亘って行われるように、当該ＡＣ電力ネットワーク上でのＡＣ電力移送を契約するステップを含み、かつ
当該フローゲート集合の各当該フローゲートでの当該関連ＡＣ電力移送を契約するステップが、少なくとも当該第一の時間間隔に亘って行われるように、当該フローゲート集合の各当該フローゲートでの当該関連ＡＣ電力移送を契約するステップを含む請求項６２記載の方法。
【請求項３】
ＡＣ電力ネットワーク上での少なくとも二つのＡＣ電力移送のＡＣ電力移送集合を契約するステップと、
当該フローゲート集合の各当該フローゲートでの当該ＡＣ電力移送集合の各当該ＡＣ電力移送に対する当該関連ＡＣ電力移送の合計を契約するステップとを含む請求項２記載の方法。
【請求項４】
当該フローゲート集合の各フローゲートが、関連する最大安全送電容量を有し、かつ
当該フローゲート集合の各当該フローゲートでの当該ＡＣ電力移送集合の各当該ＡＣ電力移送に対する当該関連ＡＣ電力移送の当該合計を契約するステップが、
当該フローゲート集合の各当該フローゲートでの当該関連する最大安全送電容量を満たす、当該ＡＣ電力移送集合の各当該ＡＣ電力移送に対する当該関連ＡＣ電力移送の当該合計を有する請求項１記載の方法。
【請求項５】
当該ＡＣ電力移送集合の各当該ＡＣ電力移送が、第一の時間間隔に亘って行われ、  当該フローゲート集合の各当該フローゲートでの当該ＡＣ電力移送集合の各当該ＡＣ電力移送に対する当該関連ＡＣ電力移送の当該合計を契約するステップが、
当該第一の時間間隔に亘って行われるように、当該ＡＣ電力移送集合の各当該ＡＣ電力移送に対する当該関連ＡＣ電力移送の各当該合計を契約するステップを有する請求項１記載の方法。
【請求項６】
当該ＡＣ電力移送集合の各当該ＡＣ電力移送が、当該ＡＣ電力ネットワークの関連する第一のノードから当該ＡＣ電力ネットワークの第二のノードへの関連エネルギ量を有し、
当該フローゲート集合の各当該フローゲートでの当該ＡＣ電力移送集合の各当該ＡＣ電力移送に対する当該関連ＡＣ電力移送の当該合計を契約するステップが、
当該フローゲート集合の各当該フローゲートでの当該関連ＡＣ電力移送のエネルギ量を、基本的に、当該関連する第一のノードから当該関連する第二のノードへの当該関連エネルギ量の関連する線形歪対称関数として、契約するステップを有する請求項１記載の方法。
【請求項７】
当該フローゲート集合の各当該フローゲートが、当該ＡＣ電力ネットワークの重要フローゲートである請求項１記載の方法。
【請求項８】
当該ＡＣ電力ネットワークの各重要フローゲートが、当該フローゲート集合内のフローゲートである請求項１記載の方法。
【請求項９】
当該ＡＣ電力ネットワーク上での当該ＡＣ電力移送を契約するステップが、
当該フローゲート集合の各当該フローゲートでの関連ＡＣ電力移送によるＡＣ電力移送商業権を所有するための第一の当事者による合意契約を形成するために、当該ＡＣ電力ネットワーク上での当該ＡＣ電力移送を契約するステップと、
当該第一の当事者が、当該第一の当事者所有のＡＣ電力移送商業権を販売するために、更に契約することを可能にするステップとを含む請求項１記載の方法。
【請求項１０】
当該フローゲート集合の各当該フローゲートが、関連する最大安全送電容量を有し、かつ、
当該合意契約に関する当該ＡＣ電力移送をスケジュールするステップと、
当該フローゲート集合の当該フローゲートの当該関連ＡＣ電力移送が、当該フローゲート集合の各当該フローゲートに対する当該フローゲートの当該関連する最大安全送電容量を満たすか否かを判断するステップと、
当該フローゲートの当該関連ＡＣ電力移送が、当該フローゲート集合の各当該フローゲートに対する当該最大安全送電容量を満たす時は常に、当該ＡＣ電力移送を承認するステップと、
を含む請求項９記載の方法。
【請求項１１】
当該第一の当事者が当該第一の当事者所有のＡＣ電力移送商業権を販売するために更に契約することを可能にするステップが、
当該合意契約に関する当該ＡＣ電力移送をスケジュールするステップの前に、当該第一の当事者が当該第一の当事者所有のＡＣ電力移送商業権を販売するために更に契約することを可能にするステップを有する請求項１０記載の方法。
【請求項１２】
当該フローゲート集合の第一の当該フローゲートでの当該関連ＡＣ電力移送による当該ＡＣ電力移送商業権を所有するための当該第一の当事者による当該合意契約が、第一の時間間隔に亘って行われ、かつ
当該合意契約に対して当該ＡＣ電力移送をスケジュールするステップにおいて、
当該合意契約に対して当該ＡＣ電力移送をスケジュールすることが、当該第一の時間間隔の前に行われる請求項１０記載の方法。
【請求項１３】
当該フローゲート集合の当該フローゲートの当該関連ＡＣ電力移送が当該フローゲート集合の各当該フローゲートに対する当該フローゲートの当該関連する最大安全送電容量を満たすか否かを判断するステップが、更に、
当該第一の時間間隔に亘って、当該フローゲート集合の当該フローゲートの当該関連ＡＣ電力移送が、当該フローゲート集合の各当該フローゲートに対する当該フローゲートの当該関連する最大安全送電容量を満たすかどうかを判断するステップを含み、かつ
当該フローゲートの当該関連ＡＣ電力移送が、当該フローゲート集合の各当該フローゲートに対する当該最大安全送電容量を満たす時は常に、当該ＡＣ電力移送を承認するステップが、更に、
当該フローゲートの当該関連ＡＣ電力移送が、当該フローゲート集合の各当該フローゲートに対する当該最大安全送電容量を第一の時間間隔に亘って満たす時は常に、当該ＡＣ電力移送を第一の時間間隔に亘って承認するステップを含む請求項１２記載の方法。
【請求項１４】
更に、
当該フローゲート集合の各当該フローゲートでの関連ＡＣ電力移送によるＡＣ電力移送商業権を所有するための第一の当事者による合意契約を形成するために、少なくとも一つのＡＣ電力移送のＡＣ電力移送を契約するステップが、更に、
当該フローゲート集合の各当該フローゲートに対するＡＣ電力移送の当該集合の関連ＡＣ電力移送の契約を形成するために、当該ＡＣ電力移送集合のあらゆるＡＣ電力移送に関する関連ＡＣ電力移送の合計を契約するステップを含む請求項１３記載の方法。
【請求項１５】
当該ＡＣ電力移送集合の各当該ＡＣ電力移送が、当該ＡＣ電力ネットワークの関連する第一のノードから当該ＡＣ電力ネットワークの当該第二のノードへの関連エネルギ量を有し、
当該フローゲート集合の各当該フローゲートに対するＡＣ電力移送の当該集合の関連ＡＣ電力移送の契約を形成するために、当該ＡＣ電力移送集合のあらゆるＡＣ電力移送に関する関連ＡＣ電力移送の合計を契約するステップが、
当該ＡＣ電力移送の当該フローゲートでの当該関連ＡＣ電力移送を、当該ＡＣ電力移送の当該関連する第一のノードから、当該フローゲート集合の各当該フローゲートの当該ＡＣ電力移送の当該関連する第二のノードへの、当該ＡＣ電力移送の当該エネルギ量の基本的に線形な歪対称関連関数であるエネルギ量として、計算するステップを含む請求項１４記載の方法。
【請求項１６】
当該第一の当事者が、当該第一の当事者所有のＡＣ電力移送商業権を販売するために、更に契約することを可能にするステップが、更に、
当該フローゲート集合の第一の当該フローゲートに関する当該関連ＡＣ電力移送について、当該第一の当事者が、当該第一の当事者所有のＡＣ電力移送商業権を販売するために、更に契約することを可能にするステップを含む請求項９記載の方法。
【請求項１７】
当該第一の当事者が、当該第一の当事者所有のＡＣ電力移送商業権を販売するために、更に契約することを可能にするステップが、更に、
当該フローゲート集合の各当該フローゲートに対する当該関連ＡＣ電力移送について、当該第一の当事者が、当該第一の当事者所有のＡＣ電力移送商業権を販売するために、更に契約することを可能にするステップを含む請求項１６記載の方法。
【請求項１８】
当該第一の当事者が、人間である請求項９記載の方法。
【請求項１９】
当該第一の当事者が、企業体である請求項１８記載の方法。
【請求項２０】
当該第一の当事者が、ＡＣ電力移送を契約するステップに関して、当該第一の当事者に代わって行動することを当該第一の当事者に認められた代理人により、代理される請求項１９記載の方法。
【請求項２１】
当該代理人が、コンピュータ上で実行されるソフトウェア代理人である請求項２０記載の方法。
【請求項２２】
当該コンピューティングシステムが、
クライアントによって操作される少なくとも一つのクライアントコンピュータを含むクライアントコンピュータ集合と、
少なくとも一つのサーバコンピュータを含むサーバシステムと、
当該クライアントコンピュータ集合の当該クライアントコンピュータを結合し、当該サーバシステムの少なくとも第一の当該サーバコンピュータを結合するネットワークと、
を備え、かつ
当該ＡＣ電力ネットワーク上での当該ＡＣ電力移送を契約するステップが、更に、
第一の当該クライアントコンピュータを操作する第一の当該クライアントを、当該第一の当事者として特定するステップを含む請求項１記載の方法。
【請求項２３】
更に、
第一のクライアントユーザが、当該第一のクライアントコンピュータに結合された当該コンピュータ可読メモリに存在する当該第一の当事者として、当該第一のクライアントコンピュータを操作するステップにして、
受領刺激ストリームを形成するために、当該第一のユーザから刺激を受領するステップと、
受領サーバストリームを形成し、サーバ配信ストリームを形成するために、当該第一のサーバコンピュータと当該ネットワークを介して通信するステップと、
当該受領刺激ストリームと当該受領サーバストリームとに基づいて、インタラクティブステータスを表示するステップと、
を含むステップを備え、かつ
当該ＡＣ電力ネットワーク上での当該ＡＣ電力移送を契約するステップが、更に、
受領サーバ配信ストリームを形成するために、当該第一のクライアントコンピュータと当該ネットワークを介して通信するステップを含む請求項２２記載の方法。
【請求項２４】
当該ＡＣ電力ネットワーク上での当該ＡＣ電力移送を契約するステップが、更に、
当該フローゲート集合の各当該フローゲートに対するＡＣ電力移送を取り引きするマーケットを含む仮想取引フロアを操作するステップにして、更に、
当該受領サーバ配信ストリームを、少なくとも一つのビッドオーダと少なくとも一つのアスクオーダとを含むオーダ集合に変換するステップと、
当該オーダ集合の第一の当該ビッドオーダと、当該オーダ集合の第一の当該アスクオーダとに基づいて、合意契約を形成するために、当該ＡＣ電力ネットワーク上でのＡＣ電力移送を契約するステップと、
を有するステップを含む請求項２３記載の方法。
【請求項２５】
少なくとも一つのコンピュータを含むコンピューティングシステム上で実行されるプログラムオペレーティングシステムであって、
当該コンピューティングシステム内の各当該コンピュータが、関連するコンピュータ可読メモリに結合されると共に、少なくとも一つのフローゲートを含むフローゲート集合を有するＡＣ電力電力ネットワーク上でのＡＣ電力移送を契約するプログラムコードセグメントによるサポートを行うプログラムオペレーティングシステムにおいて、
第一の時間間隔に亘って行われるように、当該ＡＣ電力ネットワーク上でのＡＣ電力移送を契約するステップをサポートするプログラムコードセグメントであって、
少なくとも当該第一の時間間隔に亘って行われるように、当該フローゲート集合の各当該フローゲートでの関連ＡＣ電力移送を契約するステップをサポートするプログラムコードセグメントと、
当該第一の時間間隔に亘って行われるように、ＡＣ電力ネットワーク上での少なくとも二つのＡＣ電力移送のＡＣ電力移送集合を契約するステップをサポートするプログラムコードセグメントにして、更に、少なくとも当該第一の時間に亘って行われるように、当該フローゲート集合の各当該フローゲートでの当該ＡＣ電力移送集合の各当該ＡＣ電力移送に対する当該関連ＡＣ電力移送の合計を契約するステップをサポートするプログラムコードセグメントを有するプログラムコードセグメントと、
を含むプログラムコードセグメントを備えるプログラムオペレーティングシステム。
【請求項２６】
当該ＡＣ電力ネットワーク上でのＡＣ電力移送を契約するステップをサポートする当該プログラムコードセグメントが、
第一の時間間隔に亘って行われるように、当該ＡＣ電力ネットワーク上でのＡＣ電力移送を契約するステップをサポートするプログラムコードセグメントを含み、かつ
当該フローゲート集合の各当該フローゲートでの当該関連ＡＣ電力移送を契約するステップをサポートする当該プログラムコードセグメントが、
少なくとも当該第一の時間間隔に亘って行われるように、当該フローゲート集合の各当該フローゲートでの当該関連ＡＣ電力移送を契約するステップをサポートするプログラムコードセグメントを含む請求項６３記載のプログラムオペレーティングシステム。
【請求項２７】
ＡＣ電力ネットワーク上での少なくとも二つのＡＣ電力移送のＡＣ電力移送集合を契約するステップをサポートするプログラムコードセグメントにして、更に、
当該フローゲート集合の各当該フローゲートでの当該ＡＣ電力移送集合の各当該ＡＣ電力移送に対する当該関連ＡＣ電力移送の合計を契約するステップをサポートするプログラムコードセグメントを含むプログラムコードセグメント、
を、更に、備える請求項２６記載のプログラムオペレーティングシステム。
【請求項２８】
当該フローゲート集合の各フローゲートが、関連する最大安全送電容量を有し、かつ
当該フローゲート集合の各当該フローゲートでの当該ＡＣ電力移送集合の各当該ＡＣ電力移送に対する当該関連ＡＣ電力移送の当該合計を契約するステップをサポートする当該プログラムコードセグメントが、
当該ＡＣ電力移送集合の各当該ＡＣ電力移送に対する当該関連ＡＣ電力移送の当該合計が、当該フローゲート集合の各当該フローゲートでの当該関連する最大安全送電容量を満たすことをサポートするプログラムコードセグメントを含む請求項２５記載のプログラムオペレーティングシステム。
【請求項２９】
当該ＡＣ電力移送集合の各当該ＡＣ電力移送が、第一の時間間隔に亘って行われ、かつ
当該フローゲート集合の各当該フローゲートでの当該ＡＣ電力移送集合の各当該ＡＣ電力移送に対する当該関連ＡＣ電力移送の当該合計を契約するステップをサポートする当該プログラムコードセグメントが、
当該フローゲート集合の各当該フローゲートで、少なくとも当該第一の時間間隔の間だけは行われるように、当該ＡＣ電力移送集合の各当該ＡＣ電力移送に対する当該関連ＡＣ電力移送の当該合計を契約するステップをサポートするプログラムコードセグメントを含む請求項２７記載のプログラムオペレーティングシステム。
【請求項３０】
当該ＡＣ電力移送集合の各当該ＡＣ電力移送が、当該ＡＣ電力ネットワークの関連する第一のノードから当該ＡＣ電力ネットワークの第二のノードへの関連エネルギ量を有し、かつ
当該フローゲート集合の各当該フローゲートでの当該ＡＣ電力移送集合の各当該ＡＣ電力移送に対する当該関連ＡＣ電力移送の当該合計を契約するステップをサポートする当該プログラムコードセグメントが、
当該フローゲート集合の各当該フローゲートでの当該関連ＡＣ電力移送のエネルギ量を、基本的に当該関連する第一のノードから当該関連する第二のノードへの当該関連エネルギ量の関連する線形歪対称関数として、基本的に計算するプログラムコードセグメントを含む請求項２５記載のプログラムオペレーティングシステム。
【請求項３１】
当該フローゲート集合の各当該フローゲートが、当該ＡＣ電力ネットワークの重要フローゲートである請求項２５記載のプログラムオペレーティングシステム。
【請求項３２】
当該ＡＣ電力ネットワークの各重要フローゲートが、当該フローゲート集合内のフローゲートである請求項２５記載のプログラムオペレーティングシステム。
【請求項３３】
当該ＡＣ電力ネットワーク上での当該ＡＣ電力移送を契約するステップをサポートする当該プログラムコードセグメントが、更に、
当該フローゲート集合の各当該フローゲートでの関連ＡＣ電力移送によるＡＣ電力移送商業権を所有するための第一の当事者による合意契約を形成するために、当該ＡＣ電力ネットワーク上での当該ＡＣ電力移送を契約するステップをサポートするプログラムコードセグメントと、
当該第一の当事者が、当該第一の当事者所有のＡＣ電力移送商業権を販売するために、更に契約することを可能にするステップをサポートするプログラムコードセグメントと、
を含む請求項２５記載のプログラムオペレーティングシステム。
【請求項３４】
当該フローゲート集合の各当該フローゲートが、関連する最大安全送電容量を有し、かつ
更に、当該合意契約に関する当該ＡＣ電力移送をスケジュールするステップをサポートするプログラムコードセグメントにして、
当該フローゲート集合の当該フローゲートの当該関連ＡＣ電力移送が、当該フローゲート集合の各当該フローゲートに対する当該フローゲートの当該関連する最大安全送電容量を満たすかどうかを判断するステップをサポートするプログラムコードセグメントと、
当該フローゲートの当該関連ＡＣ電力移送が、当該フローゲート集合の各当該フローゲートに対する当該最大安全送電容量を満たす時は常に、当該ＡＣ電力移送を承認するステップをサポートするプログラムコードセグメントと、
を含むプログラムコードセグメントを備える請求項３３記載のプログラムオペレーティングシステム。
【請求項３５】
当該第一の当事者が、当該第一の当事者所有のＡＣ電力移送商業権を販売するために更に契約することを可能にするステップをサポートする当該プログラムコードセグメントを実行するステップが、当該合意契約に関する当該ＡＣ電力移送をスケジュールするステップをサポートする当該プログラムコードセグメントを実行するステップの前に行われる請求項３４記載のプログラムオペレーティングシステム。
【請求項３６】
当該ＡＣ電力移送商業権を所有するための当該第一の当事者による当該合意契約が、第一の時間間隔に亘って行われ、かつ
当該合意契約に対して当該ＡＣ電力移送をスケジュールするステップをサポートする当該プログラムコードセグメントを実行するステップが、当該第一の時間間隔の前に行われる請求項３４記載のプログラムオペレーティングシステム。
【請求項３７】
当該フローゲート集合の当該フローゲートの当該関連ＡＣ電力移送が、当該フローゲート集合の各当該フローゲートに対する当該フローゲートの当該関連する最大安全送電容量を満たすかどうかを判断するステップが、更に、
当該第一の時間間隔に亘って、当該フローゲート集合の当該フローゲートの当該関連ＡＣ電力移送が、当該フローゲート集合の各当該フローゲートに対する当該フローゲートの当該関連する最大安全送電容量を満たすかどうかを判断するステップを含み、かつ
当該フローゲートの当該関連ＡＣ電力移送が、当該フローゲート集合の各当該フローゲートに対する当該最大安全送電容量を満たす時は常に、当該ＡＣ電力移送を承認するステップが、更に、
当該フローゲートの当該関連ＡＣ電力移送が、当該フローゲート集合の各当該フローゲートに対する当該最大安全送電容量を当該第一の時間間隔に亘って満たす時は常に、当該ＡＣ電力移送を当該第一の時間間隔に亘って承認するステップを含む請求項３６記載のプログラムオペレーティングシステム。
【請求項３８】
当該フローゲート集合の各当該フローゲートでの関連ＡＣ電力移送によるＡＣ電力移送商業権を所有するための第一の当事者による合意契約を形成するために、少なくとも一つのＡＣ電力移送のＡＣ電力移送を契約するステップをサポートするプログラムコードセグメントにして、更に、
当該フローゲート集合の各当該フローゲートに対するＡＣ電力移送の当該集合の関連ＡＣ電力移送の契約を形成するために、当該ＡＣ電力移送集合のあらゆるＡＣ電力移送に関する関連ＡＣ電力移送の合計を契約するステップをサポートするプログラムコードセグメントを含むプログラムコードセグメントを、更に、備える請求項３７記載のプログラムオペレーティングシステム。
【請求項３９】
当該ＡＣ電力移送集合の各当該ＡＣ電力移送が、当該ＡＣ電力ネットワークの関連する第一のノードから当該ＡＣ電力ネットワークの当該第二のノードへの関連エネルギ量を有し、
当該フローゲート集合の各当該フローゲートに対するＡＣ電力移送の当該集合の関連ＡＣ電力移送の契約を形成するために、当該ＡＣ電力移送集合のあらゆるＡＣ電力移送に関する関連ＡＣ電力移送の合計を契約するステップをサポートするプログラムコードセグメントにおいて、
当該ＡＣ電力移送の当該フローゲートでの当該関連ＡＣ電力移送それぞれを計算するプログラムコードセグメントが、当該関連する第一のノードから、当該フローゲート集合の各当該フローゲートの当該ＡＣ電力移送の当該関連する第二のノードへの当該エネルギ量の基本的に線形な歪対称関数として、エネルギ量を有する請求項３８のプログラムオペレーティングシステム。
【請求項４０】
当該第一の当事者が当該第一の当事者所有のＡＣ電力移送商業権を販売するために更に契約することを可能にするステップをサポートする当該プログラムコードセグメントが、更に、
当該フローゲート集合の第一の当該フローゲートに関する当該関連ＡＣ電力移送について、当該第一の当事者が当該第一の当事者所有のＡＣ電力移送商業権を販売するために更に契約することを可能にするステップをサポートするプログラムコードセグメントを含む請求項３３記載のプログラムオペレーティングシステム。
【請求項４１】
当該第一の当事者が当該第一の当事者所有のＡＣ電力移送商業権を販売するために更に契約することを可能にするステップをサポートする当該プログラムコードセグメントが、更に、
当該フローゲート集合の各当該フローゲートに対する当該関連ＡＣ電力移送について、当該第一の当事者が当該第一の当事者所有のＡＣ電力移送商業権を販売するために更に契約することを可能にするステップをサポートするプログラムコードセグメントを含む請求項４０記載のプログラムオペレーティングシステム。
【請求項４２】
当該第一の当事者が、人間である請求項３３記載のプログラムオペレーティングシステム。
【請求項４３】
当該第一の当事者が、企業体である請求項４２記載のプログラムオペレーティングシステム。
【請求項４４】
当該第一の当事者が、当該ＡＣ電力移送を契約するステップに関して、当該第一の当事者に代わって行動することを当該第一の当事者に認められた代理人により代理される請求項４３記載のプログラムオペレーティングシステム。
【請求項４５】
当該コンピューティングシステムが、更に、
クライアントによって操作され、結合されたコンピュータ可読メモリが付いた少なくとも一つのクライアントコンピュータを含むクライアントコンピュータ集合と、
コンピュータ可読メモリが付いた少なくとも一つのサーバコンピュータを含むサーバシステムと、
当該クライアントコンピュータ集合の当該クライアントコンピュータそれぞれを結合し、当該サーバシステムの少なくとも第一の当該サーバコンピュータを結合するネットワークと、
を備え、かつ
当該ＡＣ電力ネットワーク上での当該ＡＣ電力移送を契約するステップをサポートする当該プログラムコードセグメントが、更に、
第一の当該クライアントコンピュータを操作する第一の当該クライアントを当該第一の当事者として特定するステップをサポートする当該サーバシステムの少なくとも一つの当該サーバコンピュータに結合される当該コンピュータ可読メモリに存在するプログラムコードセグメントを含む請求項２５記載のプログラムオペレーティングシステム。
【請求項４６】
第一のクライアントユーザが、当該第一のクライアントコンピュータに結合された当該コンピュータ可読メモリに存在する当該第一の当事者として、当該第一のクライアントコンピュータを操作するステップをサポートするプログラムコードセグメントにして、
受領刺激ストリームを形成するために、当該第一のユーザから刺激を受領するステップをサポートするプログラムコードセグメントと、
受領サーバストリームを形成し、サーバ配信ストリームを形成するために、当該第一のサーバコンピュータと当該ネットワークを介して通信するステップをサポートするプログラムコードセグメントと、
当該受領刺激ストリームと当該受領サーバストリームとに基づいて、ステータスを表示するステップをサポートするプログラムコードセグメントと、
を含むプログラムコードセグメントを備え、かつ
当該ＡＣ電力ネットワーク上での当該ＡＣ電力移送を契約するステップをサポートする当該プログラムコードセグメントが、更に、
受領サーバ配信ストリームを形成するために、当該第一のクライアントコンピュータと当該ネットワークを介して通信するステップをサポートするプログラムコードセグメントを、更に、含む請求項４５記載のプログラムオペレーティングシステム。
【請求項４７】
当該ＡＣ電力ネットワーク上での当該ＡＣ電力移送を契約するステップをサポートするプログラムコードセグメントが、更に、
当該フローゲート集合の各当該フローゲートに対するＡＣ電力移送を取り引きするマーケットインタバルを含む仮想取引フロアを操作するステップをサポートするプログラムコードセグメントにして、
当該受領サーバ配信ストリームを、少なくとも一つのビッドオーダと少なくとも一つのアスクオーダとを含むオーダ集合に変換するステップをサポートするプログラムコードセグメントと、
当該オーダ集合の第一の当該ビッドオーダと、当該オーダ集合の第一の当該アスクオーダとに基づいて、合意契約を形成するために、当該ＡＣ電力ネットワーク上でのＡＣ電力移送を契約するステップをサポートするプログラムコードセグメントと、
を有するプログラムコードセグメントを含む請求項４６記載のプログラムオペレーティングシステム。
【請求項４８】
当該有効オーダ集合の各当該有効オーダが、ビッドタイプとアスクタイプとを含む集合に属し、
合意契約を形成するために、当該ＡＣ電力ネットワーク上での当該ＡＣ電力移送を契約するステップをサポートするプログラムコードセグメントが、更に、
当該有効オーダ集合の当該有効オーダの第一のビッドタイプオーダと、当該有効オーダ集合の当該有効オーダの第一のアスクタイプオーダとに基づいて、合意契約を形成するために、当該ＡＣ電力ネットワーク上での当該ＡＣ電力移送を契約するステップをサポートするプログラムコードセグメントを含む請求項４７記載のプログラムオペレーティングシステム。
【請求項４９】
当該フローゲート集合の各当該フローゲートでの関連ＡＣ電力移送によるＡＣ電力移送商業権を所有するための第一の当事者による合意契約を形成するために、当該ＡＣ電力ネットワーク上での当該ＡＣ電力移送を契約するステップをサポートするステップが、更に、
当該有効オーダ集合の当該有効オーダの第一のビッドタイプオーダと、当該有効オーダ集合の当該有効オーダの第一のアスクタイプオーダとに基づいて、当該フローゲート集合の各当該フローゲートでの関連ＡＣ電力移送によるＡＣ電力移送商業権を所有するための第一の当事者による合意契約を形成するために、当該ＡＣ電力ネットワーク上での当該ＡＣ電力移送を契約するステップをサポートするプログラムコードセグメントを含む請求項４８記載のプログラムオペレーティングシステム。
【請求項５０】
少なくとも一つのマーケットインタバルが、当該フローゲート集合の各フローゲートに関係する請求項４８記載のプログラムオペレーティングシステム。
【請求項５１】
当該サーバシステムが、少なくとも一つのプロセスグループのプロセスグループ集合による信頼できる分散システムを実行するサーバコンピュータの信頼できるサーバ集合を更に備え、
当該サーバコンピュータそれぞれが、当該信頼できるサーバシステムのコンピュータメモリにアクセス可能な状態で結合され、かつ
当該プログラムオペレーティングシステムが、プロセスグループの当該集合の少なくとも一つのプロセスグループを実施するプログラムコードセグメントを含む請求項５０記載のプログラムオペレーティングシステム。
【請求項５２】
少なくとも一つのフローゲートを含むフローゲート集合があるＡＣ電力ネットワーク上でのＡＣ電力移送を契約するプログラムコードセグメントにより、プログラムコードセグメントのプログラムオペレーティングシステムをサポートするコンピューティングシステムであって、
少なくとも一つのコンピュータにして、当該コンピューティングシステム内の各当該コンピュータが関連するコンピュータ可読メモリに結合される少なくとも一つのコンピュータを備え、
当該プログラムコードセグメントそれぞれが、当該コンピューティングシステム内の少なくとも一つの当該コンピュータに結合される当該コンピュータ可読メモリに存在し、
当該プログラムオペレーティングシステムが、
第一の時間間隔に亘って行われるように、当該ＡＣ電力ネットワーク上でのＡＣ電力移送を契約するステップをサポートするプログラムコードセグメントであって、  少なくとも当該第一の時間間隔に亘って行われるように、当該フローゲート集合の各当該フローゲートでの関連ＡＣ電力移送を契約するステップをサポートするプログラムコードセグメントと、
当該第一の時間間隔に亘って行われるように、ＡＣ電力ネットワーク上での少なくとも二つのＡＣ電力移送のＡＣ電力移送集合を契約するステップをサポートするプログラムコードセグメントにして、少なくとも当該第一の時間に亘って行われるように、当該フローゲート集合の各当該フローゲートでの当該ＡＣ電力移送集合の各当該ＡＣ電力移送に対する当該関連ＡＣ電力移送の合計を契約するステップをサポートするプログラムコードセグメントと、
を含むプログラムコードセグメントを備えるコンピューティングシステム。
【請求項５３】
当該ＡＣ電力ネットワーク上での当該ＡＣ電力移送を契約するステップをサポートする当該プログラムコードセグメントが、更に、
当該フローゲート集合の各当該フローゲートでの関連ＡＣ電力移送によるＡＣ電力移送商業権を所有するための第一の当事者による合意契約を形成するために、当該ＡＣ電力ネットワーク上での当該ＡＣ電力移送を契約するステップをサポートするプログラムコードセグメントと、
当該第一の当事者が、当該第一の当事者所有のＡＣ電力移送商業権を販売するために、更に契約することを可能にするステップをサポートするプログラムコードセグメントと、
を含む請求項５２記載のコンピューティングシステム。
【請求項５４】
当該フローゲート集合の各当該フローゲートが、関連する最大安全送電容量を有し、
当該プログラムオペレーティングシステムが、更に、
当該合意契約に関する当該ＡＣ電力移送をスケジュールするステップをサポートするプログラムコードセグメントにして、
当該フローゲート集合の当該フローゲートの当該関連ＡＣ電力移送が、当該フローゲート集合の各当該フローゲートに対する当該フローゲートの当該関連する最大安全送電容量を満たすかどうかを判断するステップをサポートするプログラムコードセグメントと、
当該フローゲートの当該関連ＡＣ電力移送が、当該フローゲート集合の各当該フローゲートに対する当該最大安全送電容量を満たす時は常に、当該ＡＣ電力移送を承認するステップをサポートするプログラムコードセグメントと、
を含むプログラムコードセグメントを備える請求項５３記載のコンピューティングシステム。
【請求項５５】
クライアントによって操作され、結合されたコンピュータ可読メモリが付いた少なくとも一つのクライアントコンピュータを含むクライアントコンピュータ集合と、
コンピュータ可読メモリが付いた少なくとも一つのサーバコンピュータを含むサーバシステムと、
当該クライアントコンピュータ集合の当該クライアントコンピュータそれぞれを結合し、当該サーバシステムの少なくとも第一の当該サーバコンピュータを結合するネットワークと、
を備え、
当該ＡＣ電力ネットワーク上での当該ＡＣ電力移送を契約するステップをサポートする当該プログラムコードセグメントが、更に、
第一の当該クライアントコンピュータを操作する第一の当該クライアントを、当該第一の当事者として特定するステップをサポートする当該サーバシステムの少なくとも一つの当該サーバコンピュータに結合される当該コンピュータ可読メモリに存在するプログラムコードセグメントを、更に、含む請求項５４記載のコンピューティングシステム。
【請求項５６】
当該プログラムオペレーティングシステムが、更に、
第一のクライアントユーザが、当該第一のクライアントコンピュータに結合された当該コンピュータ可読メモリに存在する当該第一の当事者として、当該第一のクライアントコンピュータを操作するステップをサポートするプログラムコードセグメントにして、
受領刺激ストリームを形成するために、当該第一のユーザから刺激を受領するステップをサポートするプログラムコードセグメントと、
受領サーバストリームを形成し、サーバ配信ストリームを形成するために、当該第一のサーバコンピュータと当該ネットワークを介して通信するステップをサポートするプログラムコードセグメントと、
当該受領刺激ストリームと当該受領サーバストリームとに基づいて、ステータスを表示するステップをサポートするプログラムコードセグメントと、
を含むプログラムコードセグメントを備え、かつ
当該ＡＣ電力ネットワーク上での当該ＡＣ電力移送を契約するステップをサポートする当該プログラムコードセグメントが、更に、
受領サーバ配信ストリームを形成するために、当該第一のクライアントコンピュータと当該ネットワークを介して通信するステップをサポートするプログラムコードセグメントを含む請求項５５記載のコンピューティングシステム。
【請求項５７】
当該ＡＣ電力ネットワーク上での当該ＡＣ電力移送を契約するステップをサポートするプログラムコードセグメントが、更に、
当該フローゲート集合の各当該フローゲートに対するＡＣ電力移送を取り引きするマーケットインタバルを含む仮想取引フロアを操作するステップをサポートするプログラムコードセグメントにして、更に、
当該受領サーバ配信ストリームを、少なくとも一つのビッドオーダと少なくとも一つのアスクオーダとを含むオーダ集合に変換するステップをサポートするプログラムコードセグメントと、
当該オーダ集合の第一の当該ビッドオーダと、当該オーダ集合の第一の当該アスクオーダとに基づいて、合意契約を形成するために、当該ＡＣ電力ネットワーク上でのＡＣ電力移送を契約するステップをサポートするプログラムコードセグメントと、
を有するプログラムコードセグメントを含む請求項５６記載のコンピューティングシステム。
【請求項５８】
当該有効オーダ集合の各当該有効オーダが、ビッドタイプとアスクタイプとを含む集合に属し、
合意契約を形成するために、当該ＡＣ電力ネットワーク上での当該ＡＣ電力移送を契約するステップをサポートする当該プログラムコードセグメントが、更に、
当該有効オーダ集合の当該有効オーダの第一のビッドタイプオーダと、当該有効オーダ集合の当該有効オーダの第一のアスクタイプオーダとに基づいて、合意契約を形成するために、当該ＡＣ電力ネットワーク上での当該ＡＣ電力移送を契約するステップをサポートするプログラムコードセグメントを含む請求項５７記載のコンピューティングシステム。
【請求項５９】
当該フローゲート集合の各当該フローゲートでの関連ＡＣ電力移送によるＡＣ電力移送商業権を所有するための第一の当事者による合意契約を形成するために、当該ＡＣ電力ネットワーク上での当該ＡＣ電力移送を契約するステップをサポートする当該プログラムコードセグメントが、更に、
当該有効オーダ集合の当該有効オーダの第一のビッドタイプオーダと、当該有効オーダ集合の当該有効オーダの第一のアスクタイプオーダとに基づいて、当該フローゲート集合の各当該フローゲートでの関連ＡＣ電力移送によるＡＣ電力移送商業権を所有するための第一の当事者による合意契約を形成するために、当該ＡＣ電力ネットワーク上での当該ＡＣ電力移送を契約するステップをサポートするプログラムコードセグメントを含む請求項５８記載のコンピューティングシステム。
【請求項６０】
少なくとも一つのマーケットインタバルが、当該フローゲート集合の各フローゲートに関係する請求項５９記載のコンピューティングシステム。
【請求項６１】
当該サーバシステムが、更に、少なくとも一つのプロセスグループのプロセスグループ集合による信頼できる分散システムを実行するサーバコンピュータの信頼できるサーバ集合を備え、
当該サーバコンピュータそれぞれが、当該信頼できるサーバシステムのコンピュータメモリにアクセス可能な状態で結合され、
当該プログラムオペレーティングシステムが、プロセスグループの当該集合の少なくとも一つのプロセスグループを実施するプログラムコードセグメントを含む請求項６０記載のコンピューティングシステム。
【請求項６２】
少なくとも一つのフローゲートを含むフローゲート集合があるＡＣ電力ネットワーク上でのＡＣ電力移送を契約する方法であって、
当該ＡＣ電力ネットワーク上でのＡＣ電力移送を契約するステップにして、
当該フローゲート集合の各当該フローゲートでの関連ＡＣ電力移送を契約するステップを含むステップ、
を備える方法。
【請求項６３】
少なくとも一つのコンピュータを含むコンピューティングシステム上で実行されるプログラムオペレーティングシステムであって、
当該コンピューティングシステム内の各当該コンピュータが、関連するコンピュータ可読メモリに結合されると共に、少なくとも一つのフローゲートを含むフローゲート集合を有するＡＣ電力電力ネットワーク上でのＡＣ電力移送を契約するプログラムコードセグメントによるサポートを行うプログラムオペレーティングシステムにおいて、
当該ＡＣ電力ネットワーク上でのＡＣ電力移送を契約するステップをサポートするプログラムコードセグメントにして、
当該フローゲート集合の各当該フローゲートでの関連ＡＣ電力移送を契約するステップをサポートするプログラムコードセグメントを含むプログラムオペレーティングシステムを備えるプログラムオペレーティングシステム。
【請求項６４】
少なくとも一つのフローゲートを含むフローゲート集合を有するＡＣ電力ネットワーク上でのＡＣ電力移送を契約するプログラムコードセグメントにより、プログラムコードセグメントのプログラムオペレーティングシステムをサポートするコンピューティングシステムであって、
少なくとも一つのコンピュータにして、当該コンピューティングシステム内の各当該コンピュータが関連するコンピュータ可読メモリに結合される少なくとも一つのコンピュータを備え、
当該プログラムコードセグメントのそれぞれが、当該コンピューティングシステム内の少なくとも一つの当該コンピュータに結合される当該コンピュータ可読メモリに存在し、
当該プログラムオペレーティングシステムが、
当該ＡＣ電力ネットワーク上でのＡＣ電力移送を契約するステップをサポートするプログラムコードセグメントにして、更に
当該フローゲート集合の各当該フローゲートでの関連ＡＣ電力移送を契約するステップをサポートするプログラムコードセグメントを含むプログラムコードセグメントを備えるコンピューティングシステム。
【発明の詳細な説明】
【０００１】
【発明の属する技術分野】
本発明は、送電を制御する方法に関し、特に、周波数制御された ＡＣ電力ネットワークにおけるＡＣ送電を制御する方法に関する。
【０００２】
【従来の技術】
ＡＣ電力技術の発明以来、本邦及び多くの他の諸国は、遠距離にわたるＡＣ電力の利用を共有できることから利益を享受してきた。このＡＣ電力技術が、非常に大きな価値をもっていることが分かった。しかし、ＡＣ電力ネットワークのマネジメントと制御には、根本的な問題があることが明らかになった。だが、これらの問題を論ずる前に、ＤＣ電力、ガス、水及び石油の伝送システムのような、その他のフローをベースにするシステムと、ＡＣ配電システムを区別するいくつかの基本的な物理的特性を考えることが重要である。
【０００３】
ＡＣ電力ネットワークとは、ネットワークが全体として、ネットワーク全域で本質的には一定の周波数、統一的な相で機能するとみなされるように制御された送電線上で、ＡＣ発電機をＡＣ電力負荷に結びつける電気のネットワークである。相におけるドリフトは、ＡＣ電力ネットワーク全域にわたって統一的な相特性を強化するために、相変換装置によって補正される。周波数におけるドリフトは、発電機によって補正される。このような周波数の変動は、一般的には負荷と発電された電力との不一致によって引き起こされる。これらの補正の効果によって、ＡＣ電力ネットワーク全域にわたって本質的に一定の周波数と統一的な相が操作的に与えられることになる。ＡＣ配電周波数は、米国、カナダ、メキシコ及びいくつかの他の諸国では、６０Ｈｚであり、その他に５０Ｈｚの諸国もある。ある場合には、電力は、２相の送電スキームで配電分配される。他の例では、電力は３相のスキームで配電されている。
【０００４】
本明細書では、送電網とは、一つ以上のＡＣ電力ネットワークを包含する電力システムと同時に、種々のＡＣ電力ネットワークのノード間、或いは単独のＡＣ電力ネットワークのノード間でのエネルギ転送を行うようなＤＣ送電線を指している。
都市、発電機及び同様なものは、ＡＣ電力ネットワークのノードとしての役割を果たしている。特定のノードは、実際には一つ以上の発電機または負荷を含むであろう。バスが、これらのノードの地域の施設を局地的に結ぶ。都市と発電機の間では、高圧ＡＣ送電線が、ＡＣ電力ネットワークの主要な負荷センターに送電する。一例をあげると、米国では、カナダのブリティッシュコロンビアからメキシコ北部まで下り、ロッキー山脈を越えるいわゆるｔｈｅ Ｗｅｓｔｅｒｎ Ｓｔａｔｅ Ｃｏｏｒｄｉｎａｔｉｎｇ ＣｏｕｎｃｉｌをカバーするＡＣ電力ネットワークがある。テキサスには別のＡＣ電力ネットワークがあり、本質的には米国の残りの部分と、ケベックの一部を除くカナダをカバーする別の電力ネットワークがある。これらの３つのＡＣ電力ネットワークが、一緒に結ばれて北米電力ネットワークを形成している。これらのネットワークはＡＣで結合されていない。これらのネットワークは非同期であり、すなわち米国、カナダ及びメキシコ北部全域で周波数或いは相の条件のどちらかが同期していない。
【０００５】
もう一つの特性によって、ＡＣ電力ネットワークは、ガス、水、石油及びその他の流体供給配分のシステムと区別される。ＡＣ電力ネットワークにおいては、発電と負荷の変化が、このようなネットワーク全域にほぼ光速で伝播し、発電と負荷のネットワークに対する効果が、実用上の目的からすれば同時であるような仕方でネットワーク全体に影響を与える。
【０００６】
ＡＣ電力ネットワーク全域での周波数と相の安定性ゆえに、電力の変化はスーパポジショニング効果をもっている。このことは、ネットワークにおいてどんな送電線で搬送される電力も、本質的にはネットワーク上の発電機と負荷の一次関数であるということを保証している。さらに、もし送電線のパスが二つのノードを結んでいるならば、パスによって搬送された最初のノードで発電することは、今言及した一次関数によって、第二ノードで発電された電力によって相殺される。
【０００７】
これらのＡＣ電力ネットワークは、安全な範囲で管理されるので、仮にネットワークの設定が変化しないとすると、流れのパターンはかなり予想できる。北米電気信頼性協議会（Ｔｈｅ Ｎｏｒｔｈ Ａｍｅｒｉｃａｎ Ｅｌｅｃｔｒｉｃ Ｒｅｌｉａｂｉｌｉｔｙ Ｃｏｕｎｃｉｌ）は、そのウェッブサイトｗｗｗ．ｎｅｒｃ．ｃｏｍで入手できる転送配電因子 と呼ばれる一連の数字を算出しており、電力がどのようにこれらの様々な送電線を越えて配電されるかを示している。それは投入量の一次関数であり、ノード１からノード２への転送方向がノード２からノード１に変わると符合を変える。このような関数は、ノードに関しては非対称である。
【０００８】
ＤＣネットワークを考えてみよう：ある地点から別の地点に電力を搬送することを、直接制御することができる。ＡＣ電力ネットワークでは、これができない。ＡＣ電力ネットワークに特徴的なのは、特定のノードでの発電と負荷によって、大まかな一定割合、すなわち前述した転送配電因子で、全てのラインが影響を受けるということである。
【０００９】
一例をあげると、ＡＣ電力がワシントン州からサンフランシスコに送られるとき、電力の一部は直接経路を伝い、一部はアイダホを経由してアリゾナに下り、そして南カリフォルニアから北カリフォルニアに戻る。南カリフォルニアから北カリフォルニアに上る流れには問題があるため、ｔｈｅ Ｂｏｎｎｅｖｉｌｌｅ Ｐｏｗｅｒ Ａｕｔｈｏｒｉｔｙ からサンフランシスコにもってこられるものには、制限がある。
【００１０】
ＡＣ電力ネットワークについて考えてみよう。このネットワークには、限りない数の供給元と負荷があり得る。徐々にではあるが、そのネットワークの容量が不足する。他のものに先んじて不足するネットワークのいくつかの送電線又は送電線の集合があり、それらの制約された流れの要素は、電力産業にとって大きな問題である。これらの送電線は、一般的には送電線の搬送容量によってか、或いはそれらの送電線に接続した変圧器の容量限度によって制限される。ここで留意すべきことは、一つ以上の変圧器が関係している可能性があり、また異なる変圧器は、異なる変圧器容量限度を持つということである。これらの制約された流れの要素は、フローゲートと呼ばれる。ここ数年、ＮＥＲＣの活動を通じて、フローゲートの重要性が、浮上し始めており、ＮＥＲＣはウェッブサイトからダウンロード可能であるフローゲートの影響を見積もるモデルを作る責任を担ってきた。
【００１１】
あるＡＣ電力ネットワークのフローゲートとは、本明細書ではその総最大安全搬送容量が、そのネットワークの混雑要素として作用し、ネットワークの二つあるいはそれ以上のノード間のＡＣ電力搬送を制約する、少なくとも一つの送電線の集合を指している。
【００１２】
全ての送電線は、最大安全搬送容量をもっており、フローゲートも同種のこのようなものと考えられるだろう。しかし、特定のＡＣ電力ネットワークの歴史的な混雑の分析は、ほんの少数のフローゲートが、ほとんど全ての混雑問題を説明するということを明らかにしている。このようなフローゲートを、本明細書では重要フローゲート呼ぶ。ここで留意すべきことは、最大安全搬送能力が、通常、システム全体のネットワーク信頼性の点から規定され、それは送電線の故障を引き起こす条件以上のものを含むということである。
【００１３】
任意のフローゲートを横断する連合したＡＣ電力転送は、前に論じたスーパーポジショニング効果のために加法的である。従って、１００メガワットをパスに沿って送る場合、その送電がフローゲートに対して１０％の影響をもつことがあるので、フローゲートに１０メガワットが加わることになる。もう一つの発電機は、そのフローゲートに対して５％の影響を与えるかもしれない。この発電機で１００メガワット発電することは、フローゲートを越えて５メガワットを加えるだろう。
【００１４】
図１は、従来技術に基づく現行のＡＣ電力技術に基づく、例示的なＡＣ電力ネットワークを示している。このネットワークは、各々１０、２０、３０、４０、５０、６０、７０、８０、９０、１００、１１０及び１２０と符号を付けられた１２のノードを含む。
【００１５】
ＡＣ送電線１２は、ノード１０とノード２０の間を走っている。送電線１４はノード１０とノード４０の間を走っている。送電線２２はノード２０とノード３０の間を走っている。送電線３２はノード１０とノード４０の間を走っている。送電線４２はノード４０とノード１２０の間を走っている。送電線４４はノード４０とノード６０の間を走っている。送電線４６はノード４０とノード５０の間を走っている。送電線５２はノード５０とノード１１０の間を走っている。送電線５４はノード５０とノード６０の間を走っている。送電線５６はノード５０とノード７０の間を走っている。送電線６２はノード６０とノード１１０の間を走っている。送電線６４はノード６０とノード７０の間を走っている。送電線８２はノード８０とノード９０の間を走っている。送電線９２はノード９０とノード１２０の間を走っている。送電線９４はノード９０とノード１１０の間を走っている。送電線９６はノード９０とノード１００の間を走っている。送電線１０２はノード１００とノード１１０の間を走っている。送電線１１２はノード１１０とノード１２０の間を走っている。
【００１６】
フローゲートＡ２１０は、ネットワークに対する制約である。送電線３２、３４及び４２は、総安全搬送容量によってフローゲートＡ２１０によって制約されてしまうが、それは、これらの送電線が送電容量制限をもっているからであり、この総安全搬送容量を超えると、容易に過負荷となってしまう。
【００１７】
フローゲートＢ２２０は、ネットワークに対する制約である。送電線４２及び４４は、フローゲートＢ２２０によって制約される。これらの送電線もまた、総安全搬送容量によって制約され、それは山岳道のようなシステムのやや危険な合流点で近接しているといったシステム上の制限のためである。
【００１８】
フローゲートＣ２３０は、ネットワークに対する制約である。送電線５２と６２は、総安全搬送容量までフローゲートＣ２３０に制約される。
【００１９】
図２は、従来技術において開示された図１の、例示的なＡＣ電力ネットワークの様々なノードの各バスに対する、ネットワークのフローゲート集合の各フローゲートに対して、関連するＡＣ送電関数のリストを示している。
【００２０】
バス１は、ノード１０の全ての施設を局所的に結合する。バス２は、ノード２０の全ての施設を局所的に結合する。バス３は、ノード３０の全ての施設を局所的に結合する。バス４は、ノード４０の全ての施設を局所的に結合する。バス５は、ノード５０の全ての施設を局所的に結合する。バス６は、ノード６０の全ての施設を局所的に結合する。
【００２１】
バス７は、ノード７０の全ての施設を局所的に結合する。バス８は、ノード８０の全ての施設を局所的に結合する。バス９は、ノード９０の全ての施設を局所的に結合する。バス１０は、ノード１００の全ての施設を局所的に結合する。バス１１は、ノード１１０の全ての施設を局所的に結合する。バス１２は、ノード１２０の全ての施設を局所的に結合する。
【００２２】
ここで留意すべきことは、関連するバスで結ばれた、これらのノードの施設は、発電容量及び負荷容量の点で、しばしば大きな差があることである。一例を挙げると、都市は、そこで発電されるよりもはるかに多くのＡＣ電力を消費することがよくある。もう一つ例をあげると、Ｇｒａｎｄ Ｃｏｕｌｅｅ Ｄａｍのような大きな水力発電ダムに対応するノードは、そのノードが消費するよりもはるかに多くのＡＣ電力を発電する傾向があるであろう。
【００２３】
ここで留意すべきことは、送電され得るほとんどの電力は、発電ノードでの電力量なので、様々なバスに対するＡＣ電力転送の関数は、全て１のフラクションであるということである。さらにここで留意すべきことは、これらのＡＣ電力転送の関数が負であるということである。バス１１は、その電力転送の関数に対して完全にゼロをもっている。そのバスは、本質的には関連する関数を計算するための参照ノードとしての役割を果たす。ここで留意すべきことは、参照ノードの識別は、便宜のためになされるということである。どのバスも参照ノードとしての役目を果たすことができる。
【００２４】
現在、どのようにＡＣ送電が管理されているかを考えてみよう。米国では、連邦エネルギ規制委員会ｔｈｅ Ｆｅｄｅｒａｌ Ｅｎｅｒｇｙ Ｒｅｇｕｌａｔｏｒｙ Ｃｏｍｍｉｓｓｉｏｎ（ＦＥＲＣ）が、よりよくマーケットを調整し、信頼性を高めるために地域送電機構Ｒｅｇｉｏｎａｌ Ｔｒａｎｓｍｉｓｓｉｏｎ Ｏｒｇａｎｉｚａｔｉｏｎ（ＲＴＯｓ）の整備を要求してきた（１９９９年５月１３日発行ＦＥＲＣ会議事項Ｎｏ．ＲＭ９９−２−０００）。電力産業は、公開マーケットと対立するものとして、発電を管理するために中央集権的な送出を用いる長い歴史を有している。中央集権的な送出は、垂直統合された独占企業から成る産業には相応しいものであった。ＲＴＯの計画に対する伝統的なアプローチは、これまで、一方で競合する卸売及び小売参加者に対し参入を開放しつつ、出来る限り中央集権的なコントロールを維持することであった。この結果は、不安定な価格、論争の調停そしてリアルタイムベースで供給と需要を一致させることの困難さであった。基本的な問題は、中央集権的な送出は、参加者が共通の所有権又は目標を持たないところでは、十分機能しないということである。
【００２５】
今日、送電権は、コントラクトパスとして知られるシステムを用いるネットワーク内でのポイントツーポイント送電については、一層検討され、協議されている。この送電のスケジューリングのコントラクトパスシステムは、ＡＣ送電網を通じての個別の直接パスに沿った送電権を留保する。これは、各送電線所有者から、ダイレクトパスを構成する各送電線のための送電権を購入することによってなされる。
【００２６】
このような考えは、前に論じたこれらのＡＣ電力ネットワークの物理に反している。なぜならば、いずれかのノードでの発電又は負荷は、本質的には、ネットワーク中の全ての送電線に線形効果を与え、その結果、ネットワーク内の全てのフローゲートにある程度まで影響を与えるからである。そのダイレクトパスから離れたところにある重要フローゲートを越えて起こるいくらかの制約が、実際にダイレクトパスの送電能力を制限することがよくある。
【００２７】
コントラクトパスシステムは、ＡＣ電力が、ネットワークを通じて人々が天然ガスに対してするように選んだパスをたどるよう管理され得るというフィクションに固執している。バルブを変えることによって、ＡＣ電力ネットワークを通じてＡＣ電力を個別の道に神話的に導くことができる。コントラクトパスシステムは、ただシングルパスに従って予約しさえすればよいので、概念的により容易であると考えられて導入された。コントラクトパス方式の根本的問題は、送電のためのコントラクトパスの配置が、実際に電力がＡＣ電力ネットワークを流れる道に一致しないということである。
【００２８】
今日のコントラクトパスシステムは、先着順のスキームに基づいている。購入されたものは、転売の可能性が非常に限られている。一例として、あるＡＣ電力ネットワークの三つのノードＡ、Ｂ及びＣを考えてみよう。誰かがＡからＢへの送電を購入し、ＢからＣへの送電を購入するとしよう。コントラクトパス方式を用いると、このことは、必ずしもＡからＣへの送電を所有したことを意味しない、というのは、コントラクトパスが加算的ではないからである。ＡからＢ及びＢからＣへの送電を所有することは、必ずしもＡからＣへの送電の権利を与えることにならない。ＡからＣへ送電するためには、ＡからＣへの専用の送電権利を購入しなければならない。これは、なんらかのフローゲート制約をしばしば反映する管理規則のせいであり、このフローゲート制約は、二つの別々のパスにおいては起こることはないであろうが、パスが結ばれると引き起こされるであろう。このように、コントラクトパスに基づくマーケットでは、伝統的マーケットではあるが、ＡからＢへの送電を購入すると、その唯一の価値が、エネルギをＡからＢに移動するためだけにあるということがよくある。これは、三つのノード全てが、同じ管理区域にあるときよく経験することである。
【００２９】
実際は、指摘したよりももっと悪い。重大な出来事がネットワークに起こらなくても、ＡからＣへの権利を所有していることが、何かがＡからＣに運ばれるということを保証しない多くの時間と場所が存在する。送電網信頼性オペレータは、しばしば混雑ゆえに送電をカットしてしまうが、その混雑はコントラクトパス上には全くないかもしれない。今日では、他のパスへの影響ために、あるパスの流れを制限するいくつかの場当たり的なアプローチがある。中央のオペレータが活動するが、そうしないとオーバフローしてしまうフローゲートがあるからである。
【００３０】
コントラクトパスシステムに対する別の代替的アプローチは、全てのこれらの発電機コスト曲線及び購入者の選好関数を数学的最適化プログラムに入れ、そして最適なフローを算出することである。この代替アプローチには、重大な不都合がある。商業マーケットにおいては、人々に全てのコストを明らかにさせることは、かなり難しい。ほとんどの人は、このようなことをすることを嫌がる。さらに、このようなコストは頻繁に変化する。購入者は、かれらの選好を明らかにしなければならないが、それはとてつもない情報的負担である。購入者がそのようにできる、或いはするであろうということもまた非常にありそうもない。たとえそうしたとしても、全てのこのような情報を収集することは、中央のオペレータに対してとてつもない重荷となる。
【００３１】
このような代替的アプローチは、これら全ての発電機、負荷、送電装置及び広い地域を管理するシステムをもった全てのプレーヤ間の双方向コミュニケーションを要求する。必要なレベルの信頼できるコミュニケーションと直接的管理システムを備えることは、不可能であることが判明した。その上、人々は、たとえ喜んで彼らの選考やコストを明らかにしようとも、自分達の生活を中央のオペレータに任せるのは嫌がる。
【００３２】
業界における同様のアプローチは、Ｐｅｎｎｓｙｌｖａｎｉａ、Ｎｅｗ Ｊｅｒｓｅｙ及びＭａｒｙｌａｎｄのためのＰＪＭと呼ばれる電力プールである。ＰＪＭは地点別限界価格と呼ばれるシステムを開発した。このシステムは、中央送出方法論である。しかし、地域のフローモデルが、そこに埋め込まれている。このシステムは、電力配分マトリックスに基づく一貫性のある解決を得るために、発電機などの中央集権的な運営をサポートしている。
【００３３】
このアプローチは、少なくとも他の中央集権的管理スキームが直面するのと同じ問題に直面している。ＡＣ送電を最適化するためにこのようなシステムが得ることが出来る、または利用することが出来る詳細情報の量は、非常に限られている。電力利用者は、この場合にも自分達の選択肢が分からなくなる。プレーヤは、自分達に対して何がもっとも効果的か決定することができない。中央のオペレータがプレーヤにこのようなことを指示する。このような状況が最適であると想像するのは、困難である。さらに悪いことに、エネルギが消費されてずっと後になるまで、エネルギの価格がいくらになるのか誰にもわからない！  開発されたヘッジメカニズムもあるが、このことで、ユーザが消費時に不明瞭な価格で電力を消費しているという事実が変わるわけではない。
【００３４】
ＮＥＲＣは、ある程度フローゲートに対処する方法論を開発してきた。これは、「送電予約調整と実質フローに対するエネルギスケジュールについての討議資料」と題された文書の中で論じられており、１９９８年１１月にＮＥＲＣ取引予約及びスケジューリングの自律的作業チームによって配布された。このチームは、電力産業を、混雑したフローゲートの実質的利用を基礎とした送電の予約とスケジューリングのシステムに転換することを提案し、これはＦＬＯＷＢＡＴ法と呼ばれている。彼らの提案には、重大な欠落があり、需要が供給を上回ったときのフローゲート容量の割り当ての問題に対処していない。この問題に対する彼らの沈黙によって、彼らは現在の先着順割り当ての習慣を続けようとしているように思える。中央集権化された計画に関して上記で論じられた欠点が、この方式にも該当する。
【００３５】
ＮＥＲＣは、平行パス実験に関する一般協定（ＧＡＰＰ）も後援してきた。ＧＡＰＰは、第一の送電プロバイダによって許可された取引によって引き起こされ、第二の送電プロバイダのシステムに起こる平行電力フロー関して、第一のプロバイダが、第二の送電プロバイダに補償するシステムである。ＧＡＰＰは、分布関数を基にしており、この場合は取引参加関数（ＴＰＦｓ）と呼ばれる。これらの分布関数は、フローゲートよりもむしろ送電パスを参照している。ＧＡＰＰは、送電ユーザによって支払われた補償を、実質電力フローで調整しようと試みている。しかし、ＧＡＰＰは完全に事後清算システムである。ＧＡＰＰは、ただ収益を再配分するためだけに、現在のコントラクトパススキームを変える。ＧＡＰＰは、乏しい送電容量を割り振ろうとはしない。
【００３６】
ここで留意すべきことは、たとえ混雑の問題を解決する機会がしばしば存在したとしても、先の契約をする方法のどれ一つとして、プレーヤによる先を見越した混雑解消に何のインセンティブを与えることができない、ということである。あらゆる先行するアプローチは、中央のオペレータの一方的に行動することに立脚している。送電が行われる前にプレーヤによる集合的な問題の解決の機会はない。
【００３７】
要約すると、必要なのは、ＡＣ電力ネットワークの物理に適合したＡＣ送電マーケットシステムである。更に、送電権は主に重要フローゲートによって制約を受けるので、各々の契約された送電のための重要フローゲートへの影響を説明すべきことが必要である。
【００３８】
さらに必要なものは、このような重要フローゲートを通る送電権が、タイムリで信頼性が高く且つＡＣ電力ネットワークの正しい管理を自動的に保証する効率的なやり方で取引され得るような方法とメカニズムである。
【００３９】
【課題を解決するための手段】
一実施形態は、少なくとも従来技術に関連して論じられた要求と必要を満たしている。
【００４０】
一実施形態は、少なくとも一つのフローゲートを含むフローゲート集合をもつＡＣ電力ネットワークへのＡＣ電力転送を契約するための方法を含む。その方法は、ＡＣ電力ネットワークへのＡＣ電力転送を契約することから成り、さらにフローゲート集合の各フローゲートへの関連するＡＣ電力転送を契約することを含む。このような方法は、関連するフローゲートＡＣ電力転送がフローゲート集合の各フローゲートに対して契約されたことを、自動的に保証する。
【００４１】
ＡＣ電力転送を契約する別の一実施形態は、ＡＣ電力転送があるタイムインタバルの間に行われるよう契約することを含んでいる。フローゲート集合の各フローゲートへの関連するＡＣ電力転送を契約することは、フローゲート集合の各フローゲートへのＡＣ電力転送が、そのタイムインタバルの間行われるよう契約することを、更に含んでいる。
【００４２】
別の一実施形態は、ＡＣ電力ネットワークへの少なくとも二つのＡＣ電力転送の電力転送集合を契約することを含む。これは、フローゲート集合の各フローゲートに対する若干の関連するＡＣ電力転送を契約することを更に含んでいる。このような方法は、ＡＣ電力転送集合が契約されるならば、関連するフローゲートＡＣ電力転送が、フローゲート集合の各フローゲートに対して契約されたことを自動的に保証する。
【００４３】
一実施形態は、フローゲート集合の各フローゲートが、関連する最大安全搬送容量をもっていることを考慮している。各フローゲートへの若干の関連するＡＣ電力転送を契約することは、関連する最大安全搬送容量を満たすＡＣ電力転送集合の各ＡＣ電力転送に対する、若干の関連するＡＣ電力転送含んでいる。これは、ＡＣ電力転送の集合に対する関連するフローゲートＡＣ電力転送が、各フローゲートの最大安全搬送容量を満たすことを自動的に保証する。
【００４４】
ＡＣ電力転送集合の各ＡＣ電力転送は、ＡＣ電力ネットワークの関連する第一ノード乃至ＡＣ電力ネットワークの第二ノードの、関連するエネルギ量を有している。一実施形態は、フローゲート集合の各フローゲートへのＡＣ電力転送のエネルギの量を、本質的には関連する第一ノードから第二ノードへの関連するエネルギ量の、関連する一次、非対称関数として契約することを含んでいる。このような実施形態は、ＡＣ電力ネットワークとこのようなＡＣ電力ネットワーク上のフローゲートが、観測された物理的特徴に適合している点で、さらに有利である。加えて、このＡＣ電力転送の物理的特徴は、どのフローゲートでも最大安全搬送容量を超えないようにＡＣ電力転送集合を改めるための取引で用いることができる点である。
【００４５】
ここで留意すべきことは、別の一実施形態においては、第一の当事者が、１つのフローゲート対して、同様に全てのフローゲートに対しても、関連するＡＣ電力転送を売却する契約成ることを可能にする、第一の当事者が所有するＡＣ電力転送の商業権を、更に売却する契約をなすことが可能であることである。このような実施形態は、中央集権化された管理システムでは達成されないマーケットプレーヤの内的要求やゴールに基づいた最適な業務的解決の方向に、マーケットの力が動く流動性を与えるので有利である。
【００４６】
一実施形態において、第一の当事者は、人間であるかもしれない。別の一実施形態においては、第一の当事者、は企業体かもしれない。別の一実施形態においては、第一の当事者は、第一の当事者を代理する権限を付与された代理人かもしれない。別の一実施形態においては、代理人は、コンピュータ上で実行するソフトウェア代理人かもしれない。これらの実施形態は、ＡＣエネルギのユーザとサプライヤがフローゲートに関してＡＣ電力転送権を取引することを援助し、ＡＣ電力ネットワークの管理を支配する中央集権化された管理システムの必要性を取り除くのである。
【００４７】
一実施形態において、接続されたコンピュータ読み取り可能な記憶装置を備えた、少なくとも１台のコンピュータからなるコンピューティングシステムは、上で論じられた実施形態の管理をサポートするプログラムコードセグメントを含むプログラムオペレーティングシステムの実行を提供する。このような実施形態は、これらの管理を有利に支援する実行環境を与える。
【００４８】
別の一実施形態においては、コンピュータシステムは、さらにクライアントコンピュータの集合、サーバシステム及びネットワークを含んでいる。クライアントコンピュータの集合は、クライアントによって操作される少なくとも一台のコンピュータを含んでいる。サーバシステムは、少なくとも一台のサーバコンピュータを含んでいる。ネットワークは、クライアントコンピュータ集合のクライアントコンピュータを接続し、サーバシステムのサーバコンピュータの第一番目を少なくとも接続する。ＡＣ電力ネットワークへのＡＣ電力転送を契約することは、さらにクライアントコンピュータの第一番目を操作するクライアントの第一番目を、第一の当事者として特定することを含んでいる。このような実施形態は、サーバシステムと安全な方法でコミュニケーションをとるクライアントが操作するコンピュータを備えているので、有利である。
【００４９】
別の一実施形態においては、第一クライアントコンピュータに接続されたコンピュータ読み取り可能な記憶装置に存在する第一の当事者として、第一クライアントコンピュータを操作する第一クライアントユーザは、以下のオペレーションを含んでいる：第一ユーザから刺激を受けること、ネットワークを介して第一サーバコンピュータとコミュニケーションをとり、最新の状況を示すこと。これは、ＡＣ電力ネットワークへのＡＣ電力転送のための契約メカニズムに対するユーザインタフェースに基本的なサポートを提供し、有利である。
【００５０】
別の一実施形態においては、ＡＣ電力ネットワークへのＡＣ電力転送を契約することは、ネットワークを介して第一クライアントコンピュータとコミュニケーションをとることを更に含んでいる。これは、契約プロセスの一部として、クライアントコンピュータのコミュニケーションを受け取るので、有利である。
【００５１】
別の一実施形態においては、ＡＣ電力転送の契約をなすステップは、フローゲート集合の各フローゲートのためのＡＣ電力転送を取引するためのマーケットを含む、仮想取引所を運営するステップを更に含んでいる。別の一実施形態においては、ＡＣ電力転送のための仮想取引所を運営するステップは、受信されたサーバのデリバリストリームを注文集合に変換すること及び最初の買い注文と最初の売り注文を基に合意された契約を創出するために契約をなすステップを更に含んでいる。これらの実施形態は、取引の買いと売り注文のシステムを支援し、有利である。
別の一実施形態においては、仮想取引所は、フローゲート集合の各フローゲートに関連した少なくとも一つのマーケットインタバルを含んでいる。これは、各フローゲートＡＣ電力転送の取引を、ＡＣ電力ネットワークとそのフローゲートの物理的作用に直接写像する態様でサポートするので有利である。
【００５２】
別の一実施形態においては、サーバシステムは、更に、少なくとも一つのプロセスグループのプロセスグループ集合をもつ、信頼性のある分散システムを実行するサーバコンピュータの、信頼性のあるサーバ集合から成る。各サーバコンピュータは、信頼性のあるサーバシステムのコンピュータ記憶装置に接続されているので、利用しやすい。プログラムオペレーティングシステムは、プロセスグループ集合のプロセスグループの少なくとも一つを実行するプログラムコードセグメントを含んでいる。このような実施形態は、上記プロセスを信頼性のある耐障害的方法でサポートするので、有利である。
【００５３】
本発明の、これら及びその他の利点は、以下の詳細な説明を読み、図面の様々な図を検討することで明らかになるであろう。
【００５４】
【発明を実施するための形態】
図１は、従来技術による、ＡＣ送電、配電、発電とノード、電線及びフローゲート集合を示すローディング設備で構成される例示的なネットワークを示している。図２は、従来技術で開示された図１の例示的ＡＣ電力ネットワークの、様々なノードの各バスに対するフローゲートの集合フローゲートに対する関連するＡＣ電力転送関数の一覧表を示している。
【００５５】
図３は、一実施形態に従った、ＡＣ電力ネットワークへのＡＣ電力転送１０００の契約を示している。
【００５６】
一実施形態において、オペレーション１０００は、このフローチャートのオペレーションを開始する。矢印１００２は、オペレーション１０００乃至オペレーション１００４の実行のフローを示している。オペレーション１００４は、ＡＣ電力ネットワークへのＡＣ電力転送の契約を実行している。矢印１００６は、オペレーション１００４乃至１００８の実行を示している。オペレーション１００８は、このフローチャートのオペレーションを終了させる。
【００５７】
一実施形態において、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【００５８】
本明細書では、コンピュータという用語は、命令セット型コンピュータ、及びアナログコンピュータ、同様にこれらの基本的な種類のコンピュータの集合体を含むデバイスを指している。コンピュータは、その構造に一つ以上のコンピュータを組み込んでいる情報機器をも指している。このような情報機器は、物理的に識別可能な装置である場合もあるし、或いははっきりと他のデバイス統合されている場合もあるし、或いは一人以上の人間の、物理的に移動できる近接点にはっきりと統合されている場合もある。
【００５９】
本明細書では、命令プロセッシング型コンピュータ及び推理型コンピュータを含む一定のコンピュータは、本明細書で命令と名づけられるものを保持する接続されたコンピュータ読み取り可能な記憶装置を含んでいる。本明細書では、命令セット型コンピュータに関する命令とは、このような命令セット型コンピュータの状態の変化を制御する情報を指している。現在の命令或いは実行される命令の集合及び命令−プロセッシングの内部状態に基づいて、コンピュータは、命令プロセッシング型コンピュータの未来の状態を決定するであろう。注目すべきは、これらの命令が、命令プロセッシング型コンピュータによって直接実行されることもあるし、或いは命令プロセッシング型コンピュータによって解釈的に実行され得るということである。
【００６０】
推理型コンピュータに関して本明細書での命令とは、与えられた命令によって指示される推論型コンピュータの推論ベースに基づいて、コンピュータの未来の状態を推理するために用いられる推論型コンピュータに与えられた情報を指している。このような推論ベースは、場合によっては、推論型コンピュータの内部に存在していることもあるし、或いは接続されたコンピュータ読み取り可能な記憶装置（これは推論型コンピュータによって読むことも書き込むこともできる）に存在していることもある。ここで留意すべきことは、推論型コンピュータは、様々な形態のＨｏｍ ｃｌａｕｓｅ ｐｒｅｄｉｃａｔｅｓ 、同様に制約規則、パタン認識テンプレート、フラクタルパタンテンプレート及びファジー論理述部構造エレメントを実行する機械等を含むということである。
【００６１】
本明細書では、アナログコンピュータは、アナログ回路に直接接続された装置等を含んでいる。本明細書では、このようなアナログ回路は、無線周波数ＩＦステージ、光ファイバコミュニケーションに埋め込まれたレーザのような光インタフェース、オーディオ及びビデオパターン認識回路、オーディオ及びビデオ出力デバイス等を含んでいる。本明細書でのアナログコンピュータは、人間に対する音響インタフェース、フローゲートに関するＡＣ電力転送の契約へのオーディオ及びビジュアルの識別ポータル、長距離コミュニケーションに用いられる暗号化と解読及び合意された契約の記録装置に対するインタフェース等を含む。
【００６２】
本明細書で用いられるプログラムコードセグメントとは、プログラムコードセグメントがそこに存在し、コンピュータ読み取り可能な記憶装置に接続されたコンピュータにとって実行可能又は推論的に指示する形態の命令を指している。ここで留意すべきことは、一実施形態においては、プログラムコードセグメントは、命令プロセッシング型コンピュータのネイティブな実行可能命令であることもあり得るということである。
【００６３】
図４は、一実施形態に従った、フローゲート集合の各フローゲートへの関連するＡＣ電力転送を契約する図３の詳細なオペレーション１００４を示している。
【００６４】
矢印１０２０は、開始オペレーション１００４乃至オペレーション１０２２の実行のフローチャート流れを指示している。オペレーション１０２２はフローゲート集合の各フローゲートへの関連するＡＣ電力転送の契約を実行する。矢印１０２４は、開始オペレーション１０２０乃至１０２６の実行の流れを指示している。オペレーション１０２６は、このフローチャートを終了させる。
【００６５】
一実施形態において、これらのオペレーションは、一実施形態に従った、フローゲート集合の各フローゲートへの関連するＡＣ電力転送の契約をなすためのコンピューティングシステムにおける、少なくとも１台のコンピュータ上の、接続されているコンピュータ読み取り可能な記憶装置に存在するプログラムコードセグメントによってサポートされる。
【００６６】
別の一実施形態においては、ＡＣ電力転送ための契約は、フローゲート集合の各フローゲートに対する関連するＡＣ電力転送のための契約に加えて、他の実質的な条件を含んでいる。
【００６７】
一実施形態においては、ＡＣ電力転送の契約をすることは、書面契約方法でフローゲート集合の各フローゲートへの関連するＡＣ電力転送を契約することを含んでいる。別の一実施形態においては、このような書面方式は、物理的に近似な当事者に対して機能する。一定の選択的な更なる実施形態においては、物理的に一致しない当事者は、このような書面による方法を管理してよい。
【００６８】
一実施形態においては、ＡＣ電力転送の契約をすることは、身体的信号をベースにした契約方法でフローゲート集合の各フローゲートへの関連するＡＣ電力転送を契約することも含んでいる。別の一実施形態においては、ＡＣ電力転送の契約をすることは、口頭契約の方法でフローゲート集合の各フローゲートへの関連するＡＣ電力転送を契約することを含んでいる。
【００６９】
一定の他の更なる実施形態においては、ＡＣ電力転送の契約をすることは、サインランゲージをベースとした契約方法でフローゲート集合の各フローゲートへの関連するＡＣ電力転送を契約することを含むこともある。一定の一層更なる実施形態においては、サインランゲージをベースとした契約方法は、さらに身体に関連する追加的な特性を含むこともある。このような特性は、手に持ったノート、或いは身体上のボロ、同様に一人またはそれ以上の当事者の前の行動によりヘッドアップ表示の上に引き起こされたイメージ等を含んでいる。
【００７０】
一定の他の実施形態においては、ＡＣ電力転送の契約をすることは、コンピュータが関わった契約方法でフローゲート集合の各フローゲートへの関連するＡＣ電力転送を契約することを含んでいる。一定の他の実施形態においては、ＡＣ電力転送の契約をすることは、ネットワークを通じて他のコンピュータとコミュニケーションするコンピュータが関わる契約方法でフローゲート集合の各フローゲートへの関連するＡＣ電力転送を契約することを含んでいる。
【００７１】
ここで留意すべきことは、ＡＣ電力転送を契約することは、ＡＣ電力転送のためのタイムインタバルを特定する必要がないということである。ＡＣ発電施設に投資している契約主体は、その施設によって発電された電力の幾らかに対する権利を永続的に受け取ることができる。同様に、ＡＣ送電線及び／又は設備に投資している契約主体は、ＡＣ電力ネットワークのそのコンポーネントに対して幾らかのＡＣ送電に対する永続的な権利を無期限に長い期間受け取ることができる。
【００７２】
図５は、一実施形態に従った、最初のタイムインタバルの間に行われるＡＣ電力転送の契約をなす時の図３のオペレーション１００４の詳細を示している。
【００７３】
矢印１０４０は、開始オペレーション１００４乃至オペレーション１０４２の実行の流れを指示している。オペレーション１０４２は、最初のタイムインタバルの間に行われるＡＣ電力転送の契約をなすことを実行する。矢印１０４４は、オペレーション１０４２乃至オペレーション１０４６の実行を示している。オペレーション１０４６は、このフローチャートを終了させる。
【００７４】
一実施形態において、ＡＣ電力転送を契約することは、このような最初のタイムインタバルの間に行われるＡＣ電力転送を伴っている。本明細書における単純なタイムインタバルは、開始の時刻と終了の時刻を持ち且つ開始の時刻から終了の時刻までの時間の進行を示すものである。この時間の進行は、最初のタイムインタバルに対しては、第二の単純なタイムインタバルの開始の時刻に一致する終了時刻をもつように組み立てられており、最初の単純なタイムインタバルは、第二の単純なタイムインタバルと重複しない。本明細書では、タイムインタバルは、少なくとも一つの重複しない単純なタイムインタバルを含んでいる。
【００７５】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【００７６】
一実施形態において、単純なタイムインタバルは、その時間の進行の中に開始時刻を含んでおり、その時間進行の中に終了時刻を含んではいない。一定の選択的な実施形態において、単純なタイムインタバルは、その時間進行の中に開始時刻を含まず、その時間進行の中に終了時刻を含んでいる。
【００７７】
図６は、一実施形態に従った、少なくとも最初のタイムインタバルにわたって行われるフローゲート集合の各フローゲートへの関連するＡＣ電力転送を契約する図４のオペレーション１０２２の詳細を示している。
矢印１０６０は、開始オペレーション１０２２乃至オペレーション１０６２の実行の流れを指示している。オペレーション１０６２は、少なくとも最初のタイムインタバルにわたって行われるフローゲート集合の各フローゲートへの関連するＡＣ電力転送を契約することを実行する。矢印１０６４は、オペレーション１０６２乃至オペレーション１０６６の実行を示している。オペレーション１０６６は、このフローチャートのオペレーションを終了させる。
【００７８】
一実施形態においては、これらのオペレーションは、フローゲート集合を持つＡＣ電力ネットワークへのＡＣ電力転送の契約をなすためのコンピュータシステムにおける、少なくとも１台のコンピュータ上で接続されたコンピュータ読み取り可能な記憶装置に存在するプログラムコードセグメントによって支援されている。
【００７９】
図７は、一実施形態に従った、一つのＡＣ電力ネットワークへの少なくとも二つのＡＣ電力転送からなるＡＣ電力転送集合を契約することのフローチャートを示している。
【００８０】
オペレーション１０８０は、このフローチャートのオペレーションを開始する。矢印１０８２は、オペレーション１０８０乃至オペレーション１０８４の実行の流れを指示している。オペレーション１０８４は、一つのＡＣ電力ネットワークへの少なくとも二つのＡＣ電力転送からなるＡＣ電力転送集合を契約することを実行する。オペレーション１０８８は、このフローチャートのオペレーションを終了させる。
【００８１】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【００８２】
図８は、一実施形態に従った、フローゲート集合の各フローゲートへのＡＣ電力転送集合の各電力転送に対する、若干の関連するＡＣ電力転送の契約をなすことを実行する図７のオペレーション１０８４の詳細なフローチャートを示している。
【００８３】
矢印１１００は、開始オペレーション１０８４乃至オペレーション１１０２の実行の流れを指示している。オペレーション１１０２は、フローゲート集合の各フローゲートへのＡＣ電力転送集合の各電力転送に対する、若干の関連するＡＣ電力転送の契約をなすことを実行する。矢印１１０４は、オペレーション１１０２乃至オペレーション１１０６の実行を示している。オペレーション１１０６は、このフローチャートのオペレーションを終了させる。
【００８４】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【００８５】
ここで留意すべきことは、一実施形態においては、フローゲート集合の各フローゲートが関連する最大安全搬送容量をもっていることである。
【００８６】
図９は、一実施形態に従った、フローゲート集合の各フローゲート上の関連する最大安全搬送容量を満足させるＡＣ電力転送集合の各ＡＣ電力転送のための若干の関連するＡＣ電力転送を実行する図８のオペレーション１１０２の詳細なフローチャートを示している。
【００８７】
矢印１１２０は、開始オペレーション１１０２乃至オペレーション１１２２の実行の流れを指示している。オペレーション１１２２は、フローゲート集合の各フローゲート上の関連する最大安全搬送容量を満足させるＡＣ電力転送集合の各ＡＣ電力転送のための、若干の関連するＡＣ電力転送を実行する。矢印１１２４は、オペレーション１１２２乃至オペレーション１１２６の実行を示している。オペレーション１１２６は、このフローチャートのオペレーションを終了させる。
【００８８】
一実施形態において、最大安全搬送容量を満たすことは、各フローゲート施設の所有者によるＡＣ電力転送取引権の最初の競売に基づいて、自動的に行われる。別の一実施形態においては、最大安全搬送容量を満たすことは、各フローゲートへの若干の関連するＡＣ電力転送が各フローゲートの最大安全搬送容量を満たすことを保証するためにＡＣ電力転送を相殺する更なる契約を成すことによって自動的に行われる。
【００８９】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータが読み取り可能なメモリに存在するプログラムコードセグメントによってサポートされている。
【００９０】
ここで留意すべきことは、一実施形態においては、ＡＣ電力転送集合の各ＡＣ電力転送は、最初のタイムインタバルの間に行われるということである。
【００９１】
図１０は、一実施形態に従った、最初のタイムインタバルの間に行われるＡＣ電力転送集合の各ＡＣ電力転送に対して、関連するＡＣ電力転送の各総計について契約することを実行する図８のオペレーション１１０２の詳細なフローチャートを示している。
【００９２】
矢印１１４０は、開始オペレーション１１０２乃至オペレーション１１４２の実行の流れを指示している。オペレーション１１４２は、最初のタイムインタバルの間に行われるＡＣ電力転送集合の各ＡＣ電力転送に対する、関連するＡＣ電力転送の各総計について契約をすることを実行する。矢印１１４４は、オペレーション１１４２乃至オペレーション１１４６の実行を示している。オペレーション１１４６は、このフローチャートのオペレーションを終了させる。
【００９３】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータが読み取り可能なメモリに存在するプログラムコードセグメントによってサポートされている。
【００９４】
一実施形態においては、ＡＣ電力転送集合の各ＡＣ電力転送は、ＡＣ電力ネットワークの関連する第一ノード乃至ＡＣ電力ネットワークの第二ノードの関連するエネルギ量をもっている。
【００９５】
図１１は、一実施形態に従った、本質的には、関連する第一ノード乃至関連する第二ノードの、関連するエネルギ量の一次、非対称関数としての、フローゲート集合の各フローゲートへの関連するＡＣ電力転送のエネルギ量の契約をなすことを実行する図８のオペレーション１１０２の詳細なフローチャートを示している。
【００９６】
矢印１１６０は、開始オペレーション１１０２からオペレーション１１６２までの実行の流れを示している。オペレーション１１６２は、本質的には、関連する第一ノード乃至関連する第二ノードの、関連するエネルギ量の一次、非対称関数としての、フローゲート集合の各フローゲートへの関連するＡＣ電力転送のエネルギ量の契約をなすことを実行する。矢印１１６４は、オペレーション１１６２からオペレーション１１６６までの実行を示している。オペレーション１１６６は、このフローチャートのオペレーションを終了させる。
【００９７】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【００９８】
ここで留意すべきことは、一実施形態において、ＡＣ電力ネットワークのフローゲート集合の各フローゲートが重要フローゲートであるかもしれないということである。一実施形態において、ＡＣ電力ネットワークの各重要フローゲートは、フローゲート集合の一員である。ここで留意すべきことは、一実施形態において、フローゲートが、重要フローゲートではないＡＣ電力ネットワークフローゲート集合に含まれているかもしれないということである。このようなことが生じるかもしれない状況には、送電線の一部或いは変圧器のようなサポート設備が損傷を受けていたり、一次的にＡＣ電力ネットワークから切断されているような状態などが含まれる。加えて、いくつかの送電線は、地域的に決定された優先度にとって非常に重要であり、地域的な管理方針ゆえに、厳密には重要なフローゲートではないが、フローゲート集合に含まれることもある。更に加えると、フローゲート集合は、地域の管理方針によって決定されることもあり、このことは本明細書で説明したものとは異なる基準を利用することもあるが、フローゲート集合に対する送電権の取引により混雑の自動的処理を行っている。
【００９９】
図１２は、一実施形態に従った、ＡＣ電力転送取引権を所有する第一の当事者によって合意された契約を創り出すために、ＡＣ電力ネットワークへのＡＣ電力転送の契約をなし、それらの権利がさらに契約されることを可能にする図３のオペレーション１００４の詳細を示している。
【０１００】
矢印１１８０は、開始オペレーション１００４乃至オペレーション１００４の実行の流れを示している。オペレーション１１８２は、フローゲート集合の各フローゲートへの関連するＡＣ電力転送を伴うＡＣ電力転送取引権を所有する第一の当事者によって合意された契約を創出するために、ＡＣ配電網へのＡＣ電力転送の契約をなすことを実行する。矢印１１８４は、オペレーション１１８２乃至オペレーション１１８６の実行を示している。オペレーション１１８６は、第一の当事者が、第一の当事者が所有するＡＣ電力転送取引権を売却するための契約をさらになすことを可能にすることを実行する。矢印１１８８は、オペレーション１１８６からオペレーション１１９０までの実行を示している。オペレーション１１９０は、このフローチャートのオペレーションを終了させる。
【０１０１】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによって支援されている。ここで留意すべきことは、一実施形態において、これらのオペレーションは、識別可能な実行に関わる識別可能なプログラムコードセグメント或いは推論言語構造によって実行されることもある、ということである。
【０１０２】
一実施形態では、フローゲート集合の各フローゲートは、関連する最大安全搬送容量をもっている。
【０１０３】
図１３は、一実施形態に従った、フローゲート集合を持つＡＣ電力ネットワークへのＡＣ電力転送をスケジューリングするフローチャートを示している。
オペレーション１２１０は、このフローチャートのオペレーションを開始させる。矢印１２１２は、オペレーション１２１０乃至オペレーション１２１４の実行の流れを示している。オペレーション１２１４は、フローゲート集合のフローゲートの関連するＡＣ電力転送が、フローゲート集合の各フローゲートに対して、フローゲートの関連する最大安全搬送容量を満足させているかどうかを決定することを実行する。矢印１２１６は、オペレーション１２１４乃至オペレーション１２１８の実行の流れを示している。オペレーション１２１８は、フローゲートの関連するＡＣ電力転送が、フローゲート集合の各フローゲートに対する最大安全搬送容量を満足させているときはいつでも、ＡＣ電力転送を承認することを実行する。矢印１２２０は、オペレーション１２１８乃至オペレーション１２２２の実行の流れを示している。オペレーション１２２２は、このフローチャートのオペレーションを終了させる。
【０１０４】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。ここで留意すべきことは、一実施形態において、これらのオペレーションは、識別可能な実行に関わる識別可能なプログラムコードセグメント或いは推論言語構造によって実行されることもある、ということである。
【０１０５】
図１４は、第一の当事者が、第一の当事者が所有するＡＣ電力転送取引権を、合意された契約のＡＣ電力転送のスケジューリング前に、売却するために更に契約をなすことを可能にすることを実行する図１２のオペレーション１１８６の詳細なフローチャートを示している。
【０１０６】
矢印１２３０は、開始オペレーション１１８６乃至オペレーション１２３２の実行の流れを示している。オペレーション１２３２は、第一の当事者が、第一の当事者が所有するＡＣ電力転送取引権を、合意された契約のＡＣ電力転送のスケジューリング前に、売却するために更に契約をなすことを可能にすることを実行する。矢印１２３４は、オペレーション１２３２乃至オペレーション１２３６までの実行を示している。オペレーション１２３６は、このフローチャートのオペレーションを終了させる。
【０１０７】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【０１０８】
一実施形態において、フローゲート集合の第一のフローゲートへの関連するＡＣ電力転送を伴うＡＣ電力転送取引権を所有する第一の当事者によって合意された契約は、最初のタイムインタバルの間に履行される。
【０１０９】
図１５は、最初のタイムインタバルの前に生じる合意された契約に対する、ＡＣ電力転送のスケジューリングを実行する図１３のオペレーション１２１０の詳細なフローチャートを示している。
【０１１０】
矢印１２５０は、開始オペレーション１２１０乃至オペレーション１２５２の実行の流れを示している。オペレーション１２５２は、最初のタイムインタバルの前に生じる合意された契約に対する、ＡＣ電力転送のスケジューリングを実行する。矢印１２５４は、オペレーション１２５２乃至オペレーション１２５６の実行を示している。オペレーション１２５６は、このフローチャートのオペレーションを終了させる。
【０１１１】
一定の他の実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【０１１２】
図１６は、フローゲート集合のフローゲートの、関連するＡＣ電力転送が、最初のタイムインタバルの間に、フローゲート集合の各フローゲートに対して、フローゲートの関連する最大安全搬送容量を満足させるかどうかを決定することを実行する図１３のオペレーション１２１４の詳細なフローチャートを示している。
【０１１３】
矢印１２７０は、開始オペレーション１２１４乃至オペレーション１２７２の実行の流れを示している。オペレーション１２７２は、フローゲート集合のフローゲートの、関連するＡＣ電力転送が、最初のタイムインタバルの間に、フローゲート集合の各フローゲートに対して、フローゲートの関連する最大安全搬送容量を満足させるかどうかを決定することを実行する。矢印１２７４は、オペレーション１２７２乃至オペレーション１２７６の実行を示している。オペレーション１２７６は、このフローチャートのオペレーションを終了させる。
【０１１４】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。別の一実施形態において、これらのオペレーションは、最初のタイムインタバルの前に、ＡＣ電力転送をスケジューリングするオペレーション１２１０を実行する、時間によって起動するプログラムコードセグメントに埋め込まれている。
【０１１５】
図１７は、フローゲートの関連するＡＣ電力転送が、最初のタイムインタバルの間に、フローゲート集合の各フローゲートに対する最大安全搬送容量を満足させているときはいつでも、最初のタイムインタバルの間にＡＣ電力転送を承認することを実行する図１３のオペレーション１２１８の詳細なフローチャートを示している。
【０１１６】
矢印１２９０は、開始オペレーション１２１８乃至オペレーション１２９２の実行の流れを示している。オペレーション１２９２は、フローゲートの関連するＡＣ電力転送が、最初のタイムインタバルの間に、フローゲート集合の各フローゲートに対する最大安全搬送容量を満足させているときはいつでも、最初のタイムインタバルの間にＡＣ電力転送を承認することを実行する。矢印１２９４は、オペレーション１２９２乃至オペレーション１２９６の実行を示している。オペレーション１２９６は、このフローチャートのオペレーションを終了させる。
【０１１７】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【０１１８】
図１８は、フローゲート集合の各フローゲートへの関連するＡＣ電力転送を伴うＡＣ電力転送取引権を所有する第一の当事者による合意された契約を創り出すために、少なくとも一つのＡＣ電力転送からなるＡＣ電力転送の集合の契約をなすことを実行するフローチャートを示している。
【０１１９】
オペレーション１３１０はこのフローチャートのオペレーションを開始させる。矢印１３１２は、オペレーション１３１０乃至オペレーション１３１４の実行の流れを示している。オペレーション１３１４は、フローゲート集合の各フローゲートへの関連するＡＣ電力転送を伴うＡＣ電力転送取引権を所有する第一の当事者による合意された契約を創り出すために、少なくとも一つのＡＣ電力転送からなるＡＣ電力転送の集合の契約をなすことを実行する。矢印１３１６は、オペレーション１３１４乃至オペレーション１３１８の実行の流れを示している。オペレーション１３１８は、このフローチャートのオペレーションを終了させる。
【０１２０】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【０１２１】
図１９は、フローゲート集合の各フローゲートに対するＡＣ電力転送の集合に対して、関連するＡＣ電力転送の契約を創り出すために、ＡＣ電力転送集合の全てのＡＣ電力転送に対する若干の関連するＡＣ電力転送の契約をなすことを実行する図１８のオペレーション１３１４の詳細なフローチャートを示している。
【０１２２】
矢印１３３０は、開始オペレーション１３１４乃至オペレーション１３３２の実行の流れを示している。オペレーション１３３２は、フローゲート集合の各フローゲートに対するＡＣ電力転送の集合に対して、関連するＡＣ電力転送の契約を創り出すために、ＡＣ電力転送集合の全てのＡＣ電力転送に対する若干の関連するＡＣ電力転送の契約をなすことを実行する。矢印１３３４は、オペレーション１３３２乃至オペレーション１３３６の実行を示している。オペレーション１３３６は、このフローチャートのオペレーションを終了させる。
【０１２３】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【０１２４】
一実施形態においては、ＡＣ電力転送集合の各ＡＣ電力転送は、ＡＣ電力ネットワークの関連する第一ノード乃至ＡＣ電力ネットワークの第二ノードの関連するエネルギ量をもっている。
【０１２５】
図２０は、フローゲート集合の各フローゲートのＡＣ電力転送の、関連する第一ノード乃至第二ノードのＡＣ電力転送のエネルギ量の、本質的には、一次、非対称の関連する関数であるエネルギ量としてのＡＣ電力転送の、フローゲートへの関連するＡＣ電力転送の計算を実行する図１９のオペレーション１３３２の詳細なフローチャートを示している。
【０１２６】
矢印１３５０は、開始オペレーション１３３２乃至オペレーション１３５２の実行の流れを示している。オペレーション１３５２は、フローゲート集合の各フローゲートのＡＣ電力転送の、関連する第一ノード乃至第二ノードのＡＣ電力転送のエネルギ量の、本質的には、一次、非対称の関連する関数であるエネルギ量としてのＡＣ電力転送の、フローゲートへの関連するＡＣ電力転送の計算を実行する。矢印１３５４は、オペレーション１３５２乃至オペレーション１３５６の実行を示している。オペレーション１３５６は、このフローチャートのオペレーションを終了させる。
【０１２７】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【０１２８】
図２１は、第一の当事者が、フローゲート集合の第一番目のフローゲートに対する関連するＡＣ電力転送のために、第一の当事者が所有するＡＣ電力転送取引権を売却するために更に契約することを可能にすることを実行する図１２のオペレーション１１８６の詳細なフローチャートを示している。
【０１２９】
矢印１３７０は、開始オペレーション１１８６乃至オペレーション１３７２の実行の流れを示している。オペレーション１３７２は、第一の当事者が、フローゲート集合の第一番目のフローゲートに対する関連するＡＣ電力転送のために、第一の当事者が所有するＡＣ電力転送取引権を売却するために更に契約することを可能にすることを実行する。矢印１３７４は、オペレーション１３７２乃至オペレーション１３７６の実行を示している。オペレーション１３７６は、このフローチャートのオペレーションを終了させる。
【０１３０】
一実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【０１３１】
図２２は、第一の当事者が、フローゲート集合の各フローゲートに対して関連するＡＣ電力転送のために、第一の当事者が所有するＡＣ電力転送取引権を売却するために更に契約することを可能にすることを実行する図１２のオペレーション１１８６の詳細なフローチャートを示している。
【０１３２】
矢印１３９０は、開始オペレーション１１８６乃至オペレーション１３９２までの実行の流れを示している。オペレーション１３９２は、第一の当事者が、フローゲート集合の各フローゲートに対して関連するＡＣ電力転送のために、第一の当事者が所有するＡＣ電力転送取引権を売却するために更に契約することを可能にすることを実行する。矢印１３９４は、オペレーション１３９２乃至オペレーション１３９６の実行を示している。オペレーション１３９６は、このフローチャートのオペレーションを終了させる。
【０１３３】
一定の他の実施形態においては、これらのオペレーションは、フローゲート集合を持つＡＣ電力ネットワークへのＡＣ電力転送の契約のためのコンピュータシステムにおける、少なくとも１台のコンピュータ上で接続されたコンピュータ読み取り可能な記憶装置に存在するプログラムコードセグメントによってサポートされている。
【０１３４】
一実施形態において、第一の当事者は、人間であるかもしれない。一定の他の実施形態において、第一の当事者は、企業体であるかもしれない。別の一実施形態において、企業体は、株式会社であるかもしれない。一定の他の更なる実施形態において、企業体は、パートナーシップの形態であるかもしれない。
【０１３５】
図２３は、一実施形態に従った、フローゲート集合をもつＡＣ送電網へのＡＣ電力転送の契約をなすことをサポートするコンピューティングシステム２０００の簡略化されたシステムブロックを示している。
【０１３６】
コンピューティングシステム２０００は、コンピュータ読み取り可能な記憶装置２０２６に接続２０２４された、少なくとも１台のコンピュータ２０２０からなる。コンピューティングシステム２０００とコンピュータ２０２０の間のコミュニケーションと相互作用は、矢印２０２２で表示されている。このようなコミュニケーションと相互作用２０２２は、一実施形態では無線フィジカルトランスポートレイヤを含む、種々のコミュニケーション技術を採用し得る。一定の代替的実施形態において、コミュニケーションと相互作用２０２２は、有線フィジカルトランスポートレイヤを採用し得る。
【０１３７】
図２４は、別の一実施形態に従った、図２３における系統図として、コンピューティングシステム２０００の改良点を示している。このコンピューティングシステムは、クライアントコンピュータ集合とネットワーク２２００に接続されたサーバシステム２５００とからなる。クライントコンピュータ集合は、クライアント２１９０によって操作２１９２される少なくとも１台のコンピュータ２６００からなる。別の一実施形態において、クライアントコンピュータ２６１０は、クライアント２１００としての人間によって操作２１４０される。一定の他の更なる実施形態において、クライアントコンピュータ２６２０は、クライアント２１２０としての企業体によって操作２１２４される。一定の他の更なる実施形態においては、クライアントコンピュータ２６３０は、クライアント２１４０として権限を付与された代理人によって操作２１４４される。第一の当事者は、ＡＣ電力転送の契約を結ぶことに関して第一の当事者に代わって活動するよう、第一の当事者によって権限を付与された代理人によって代理される。
【０１３８】
サーバシステム２５００は、ネットワーク２２００接続された少なくとも１台のサーバコンピュータ２５２０を含んでいる。ネットワーク２２００は、更にクライアントコンピュータ２６００、２６１０、２６２０、２６３０及び２６４０を個々に接続２６０２、２６１２、２６２２、２６３２及び２６４２する。ネットワーク２２００は、クライアントコンピュータとサーバシステム２５００の少なくとも１台のサーバコンピュータ２５２０との間のコミュニケーションを少なくともサポートする。本明細書では、ネットワークという用語は、ローカルエリアネットワーク（ＬＡＮ）を指すのみならず、ワイドエリアネットワーク（ＷＡＮ）も指している。本明細書でいうネットワークにサポートされたコミュニケーションは、デジタルコミュニケーションプロトコル、アナログコミュニケーションプロトコル等も含んでいる。更に本明細書でいうネットワークにサポートされたコミュニケーションは、メッセージ伝達プロトコル及びパケットベースプロトコル等を含んでいる。更に本明細書でいうネットワークにサポートされたコミュニケーションとは、ＴＣＰ／ＩＰを含むコミュニケーションプロトコル等を含んでいる。更に本明細書でいうネットワークにサポートされたコミュニケーションは、インタネットをサポートするコミュニケーションプロトコル等を含んでいる。更に本明細書でいうネットワークにサポートされたコミュニケーションは、Ｗｏｒｌｄ Ｗｉｄｅ Ｗｅｂをサポートするコミュニケーションプロトコル等を含んでいる。
【０１３９】
別の一実施形態において、クライアントコンピュータ集合は、少なくとも接続２６０４されたコンピュータ読み取り可能な記憶装置２６０６をもち、クライアント２１９０によって操作２１９２される１台のクライアントコンピュータ２６００からなる。別の一実施形態において、接続２６１４されたコンピュータ読み取り可能な記憶装置２６１６をもつ、１台のクライアントコンピュータ２６１０は、クライアント２１００としての人間によって操作２１０４される。一定の他の更なる実施形態において、接続２６２４されたコンピュータ読み取り可能な記憶装置２６２６をもつ、１台のクライアントコンピュータ２６２０は、クライアント２１２０としての企業体によって操作２１２４される。一定の他の更なる実施形態において、接続２６３４されたコンピュータ読み取り可能な記憶装置２６３６をもつ、１台のクライアントコンピュータ２６３０は、クライアント２１４０としての権限を付与された代理人によって操作２１４４される。
【０１４０】
別の一実施形態において、接続２６１４されたコンピュータ読み取り可能な記憶装置２６１６をもち、クライアント２１００によって操作２１０４される１台のクライアントコンピュータ２６１０は、更にコンピュータ読み取り可能な記憶装置２６０６に接続２１９４されている。別の一実施形態において、接続２６４０されたコンピュータ読み取り可能な記憶装置２６４６をもつ、１台のクライアントコンピュータ２６４０は、クライアント２１６０としてのソフトウェアエージェントによって操作２１６４される。一定の別の更なる実施形態において、接続２１９４は、マクロスタイル機能及び標準契約フォーム等のクライアント２１９０によって採用された各種の個人的最適化とショートカットを備えている。
【０１４１】
一定の他の更なる実施形態において、サーバシステム２５００は、コンピュータ読み取り可能な記憶装置２５２６に接続２５２４された、少なくとも１台のサーバコンピュータ２５２０を含んでいる。
【０１４２】
図２５Ａは、第一の当事者としてのクライアントコンピュータの第一番を操作する、クライアントの第一番を特定することを実行する図３のオペレーション１０００の詳細なフローチャートを示している。
【０１４３】
矢印１４１０は、開始オペレーション１０００乃至オペレーション１４１２の実行の流れを示している。オペレーション１４１２は、第一の当事者としてのクライアントコンピュータの第一番を操作する、クライアントの第一番を特定することを実行する。矢印１４１４は、オペレーション１４１２乃至オペレーション１４１６の実行を示している。オペレーション１４１６は、このフローチャートのオペレーションを終了させる。
図２５Ｂは、第一の当事者として、第一のクライアントコンピュータを操作する第一のクライアントユーザのフローチャートを示している。
【０１４４】
オペレーション１４３０は、このフローチャートのオペレーションを開始する。矢印１４３２は、オペレーション１４３０乃至オペレーション１４３４の実行の流れを示している。オペレーション１４３４は、第一の当事者として、第一のクライアントコンピュータを操作する第一のクライアントユーザを実行する。矢印１４３６は、オペレーション１４３４乃至オペレーション１４３８の実行を示している。オペレーション１４３８は、このフローチャートのオペレーションを終了させる。
【０１４５】
図２６は、第一のクライアントの刺激、反応及びサーバシステムの第一のサーバコンピュータとのネットワークコミュニケーションに関連するオペレーションを実行する図２５Ｂのオペレーション１４３４の詳細なフローチャートを示している。
【０１４６】
矢印１４５０は、開始オペレーション１４３４乃至オペレーション１４５２の実行の流れを示している。オペレーション１４５２は、受信した刺激のストリームを創り出すために、第一ユーザから刺激を受信することを実行する。矢印１４５４は、オペレーション１４５２乃至オペレーション１４５６の実行を示している。オペレーション１４５６は、受け取った刺激のストリームを創り出すため及びサーバデリバリストリームを創り出すために、ネットワークを介して第一のサーバコンピュータとコミュニケーションをとることを実行する。矢印１４５８は、オペレーション１４５６乃至オペレーション１４６０の実行を示している。オペレーション１４６０は、受信した刺激のストリームと受信したサーバストリームに基づいてステイタスを表示することを実行する。矢印１４６２は、オペレーション１４６０乃至オペレーション１４６４の実行を示している。オペレーション１４６４は、このフローチャートのオペレーションを終了させる。
【０１４７】
図２７は、受信したサーバデリバリストリームを創り出すために、ネットワークを介して、第一のクライアントコンピュータとコミュニケーションを行うことを実行する図３のオペレーション１００４の詳細なフローチャートを示している。
【０１４８】
矢印１４９０は、開始オペレーション１００４乃至オペレーション１４９２までの実行の流れを示している。オペレーション１４９２は、受信したサーバデリバリストリームを創り出すために、ネットワークを介して、第一のクライアントコンピュータとコミュニケーションを行うことを実行する。矢印１４９４は、オペレーション１４９２乃至オペレーション１４９６の実行を示している。オペレーション１４９６は、このフローチャートのオペレーションを終了させる。
【０１４９】
図２８は、一実施形態に従った、有効な注文と、関連するマーケット状態をもつマーケットインタバルを含む、仮想取引所３０００を示している。
【０１５０】
仮想取引所メカニズム３０００は、マーケットインタバルの集合、関連するマーケット状態をもつ各マーケットインタバル、及び有資格のクライアントからなる。マーケットは、製品タイプと場所を含んでいる。マーケットでの取引は、マーケットインタバル３１００、３１２０、３１４０及び３１６０によって行われる。マーケットの各マーケットインタバルは、マーケット製品タイプ、マーケットロケーション、加えてインタバルの終了をもつカレンダスキームを含んでいる。マーケットインタバルのマーケット状態は、インタバルの終了をもつカレンダスキーム中のその場所での製品タイプに対するマーケット価格を含んでいる。
【０１５１】
図２９は、フローゲート集合の各フローゲートに対するＡＣ電力転送の取引のためのマーケットインタバルを含む仮想取引所の運営をサポートすることを実行する図３のオペレーション１００４の詳細なフローチャートを示している。
【０１５２】
矢印１５１０は、開始オペレーション１００４乃至オペレーション１５１２の実行の流れを示している。オペレーション１５１２は、フローゲート集合の各フローゲートに対するＡＣ電力転送の取引のためのマーケットインタバルを含む、仮想取引所を運営することを実行する。矢印１５１４は、オペレーション１５１２乃至オペレーション１５１６の実行を示している。オペレーション１５１６は、フローゲート集合の各フローゲートに対するＡＣ電力転送の取引のために、少なくとも一つのマーケットインタバルで、仮想取引所を運営することを実行する。矢印１５１８は、オペレーション１５１６乃至オペレーション１５２０の実行を示している。オペレーション１５２０は、このフローチャートのオペレーションを終了させる。
【０１５３】
ここで留意すべきことは、別の一実施形態において、仮想取引所が、マーケットとしてＡＣ電力ネットワークにおいてＡＣエネルギの契約をなすことをサポートし得るということである。別の一実施形態において、補助的なエネルギサービスが、マーケットとしてサポートされるであろう。補助的なエネルギサービスは、一般的にはＲＴＯ（地域送電機構Ｒｅｇｉｏｎａｌ Ｔｒａｎｓｍｉｓｓｉｏｎ Ｏｒｇａｎｉｚａｔｉｏｎ）のような規制地域内で決められる。例として、カリフォルニアでは、このような補助的サービスが、ＡＣ電力ネットワークの、そして可能ならばＡＣ電力ネットワークが属する送電網の、リアルタイムのバランスを達成するために、ＡＣ電力ネットワーク運営者にエネルギ及び送電リザーブを提供している。これらのネットワークは、電圧、周波数、相の安定性及び最大安全搬送容量のような管理パラメータ内に留まるよう制御され、維持されであろう。カリフォルニアにおけるこのような補助的マーケットは、運転予備電力、非運転予備電力、自力起動及び補充引当を含んでいる。
【０１５４】
このような補助的サービスは、追加的な主要パラメータをもつマーケットとして扱われる。補助的エネルギサービスの契約をすると、運営者は、電力（エネルギ）量を要求する権利に対して支払い、同様に、合意した金額でエネルギに対し支払う。施設は、その出力を要求する権利に対して支払われた合意された料金に基づいた補助的サービス契約の出力をおさえる。施設は、そこでその電力生産品に対して合意された料金に基づいて、運営者の指示で、その出力の一部又は全部を発電する。このようなスキームは、発電だけでなく送電にも適用し得る。
【０１５５】
別の一実施形態において、仮想取引所は、少なくとも一つのＡＣ電力ネットワークを含む送電網において、ＡＣ電力及びＡＣエネルギ転送を契約することをサポートし得る。別の一実施形態において、仮想取引所は、マーケットとして送電網内で、ＤＣ電力転送の契約をすることをサポートし得る。ここで留意すべきことは、一実施形態においては、送電網が、少なくとも二つのＡＣ電力ネットワークを含み得るということである。
【０１５６】
図３０は、一実施形態に従った、注文を集めること及び契約を創り出すことを実行する図２９のオペレーション１５１２の詳細なフローチャートを示している。
【０１５７】
矢印１５３０は、開始オペレーション１５１２乃至オペレーション１５３２の実行の流れを示している。オペレーション１５３２は、受信したサーバデリバリストリームを、少なくとも一つの買い注文と少なくとも一つの売り注文を含む、注文集合に変えることを実行する。矢印１５３４は、オペレーション１５３２乃至オペレーション１５３６の実行を示している。オペレーション１５３６は、注文集合の買い注文の第一番に基づき且つ注文集合の売り注文の第一番に基づいて、合意された契約を創出するために、ＡＣ電力ネットワークへのＡＣ電力転送の契約をなすことを実行する。矢印１５３８は、オペレーション１５３６乃至オペレーション１５４０の実行を示している。オペレーション１５４０は、このフローチャートのオペレーションを終了させる。
【０１５８】
少なくとも一つのフローゲートを含むフローゲート集合をもつＡＣ電力ネットワークを考えてみよう。一実施形態においては、ＡＣ電力ネットワークのためのマーケットを含む仮想取引所は、フローゲート集合の各フローゲートに対しては、そのフローゲートに対応する場所でＡＣ電力転送を取引するマーケットから成っている。別の一実施形態においては、フローゲート集合の各フローゲートと結びついた少なくとも一つの活発なマーケットインタバルがあり、そこでは、場所がＡＣ電力ネットワークにおけるフローゲートの場所であり、製品のタイプは、ＡＣ電力転送である。ここで留意すべきことは、一実施形態においては、ＡＣ電力転送の製品タイプは、異なる意味を持つであろうが、ＡＣ電力ネットワークに対する同様の物理現象に基づいているだろうということである。
【０１５９】
有資格のクライアントからの有効な注文は、特定のマーケットインタバルに対する買い注文と特定のマーケットインタバルの売り注文からなる。有効な注文は、別の一実施形態において、複数の有効な注文からなるであろう。有効な注文は、別の一実施形態において、特定の場所と特定の製品に対する複数の有効な注文からなるであろう。あるマーケットインタバルに対する買いと売りの注文は、少なくとも部分的にはマーケット価格を決定する。
【０１６０】
一実施形態において、有効な注文集合の各有効な注文は、売りタイプと買いタイプから成る集合に属する。別の一実施形態において、有効な注文は、同じマーケットインタバルに対する価格における売り注文に本質的には適合する買い注文と合意した契約を形成する。有効な注文は、ただカレンダラインの特定の時間枠内でのみ有効である。現実の時間がマーケットインタバルの時間枠を越えると、注文は拒否される。一旦合意されると、注文は、そのマーケットインタバルに対する仮想取引所の契約当事者間の、法的拘束力がある契約であり、製品タイプの取引が特定場所で、終了したマーケットインタバルのカレンダスキームの間に行われるようにする指令を生み出すために用いられ得る。
【０１６１】
図３１は、有効な注文集合の有効な注文の第一の買いタイプ注文及び有効な注文集合の有効な注文の第一の売りタイプ注文に基づいて、ＡＣ電力転送の契約をなす図３のオペレーション１００４の詳細なフローチャートを示している。
【０１６２】
矢印１５５０は、開始オペレーション１００４乃至オペレーション１５５２の実行の流れを示している。オペレーション１５５２は、有効な注文集合の有効な注文の第一の買いタイプ注文及び有効な注文集合の有効な注文の第一の売りタイプ注文に基づいて、ＡＣ電力ネットワークへのＡＣ電力転送の契約をなすことを実行する。矢印１５５４は、オペレーション１５５２乃至オペレーション１５５６の実行を示している。オペレーション１５５６は、このフローチャートのオペレーションを終了させる。
【０１６３】
図３２は、有効な注文集合の有効な注文の第一の買いタイプ注文及び有効な注文集合の有効な注文の第一の売りタイプ注文に基づいて、フローゲート集合の各フローゲートへの関連するＡＣ電力転送を含むＡＣ電力転送取引権を所有する第一の当事者によって合意された契約を創り出すために、ＡＣ電力ネットワークへのＡＣ電力転送の契約をなすことを実行する図１２のオペレーション１１８２の詳細なフローチャートを示している。
【０１６４】
矢印１５７０は、開始オペレーション１１８２乃至オペレーション１５７２の実行の流れを示している。オペレーション１５７２は、有効な注文集合の有効な注文の第一の買いタイプ注文及び有効な注文集合の有効な注文の第一の売りタイプ注文に基づいて、フローゲート集合の各フローゲートへの関連するＡＣ電力転送を含むＡＣ電力転送取引権を所有する第一の当事者によって合意された契約を創り出すために、ＡＣ電力ネットワークへのＡＣ電力転送の契約をなすことを実行する。矢印１５７４は、オペレーション１５７２乃至オペレーション１５７６の実行を示している。オペレーション１５７６は、このフローチャートのオペレーションを終了させる。
【０１６５】
一実施形態において、プロセスグループが、冗長な、耐障害的コンピュータメカニズムを与えるために用いられる。一つのプロセスグループは、同一のプロセスの集合からなる。それらのプロセスは、同じ計算を本質的には同時に実行し、同じ出力結果を大容量記憶装置に書き込む。外部からの観察者にとっては、たとえ実際の計算が、互いに遠く離れたところにあることもある、幾つかの物理的なコンピュータによって反復されているとしても、プロセスグループは一つの存在に見える。プロセスグループ内の個別のプロセスは、クラッシュしたり、新しいプロセスが加わったりするかもしれないが、外部の観察者にとっては、プロセスグループは無傷のように見える。さらに、全てのプロセスグループメンバによって大容量記憶装置にセーブされた出力結果は、同一であるから、プロセスグループは、どの大容量記憶装置に故障がおきても切り抜けることができる。
【０１６６】
図３３Ａは、一実施形態に従った、信頼性あるサーバシステム上で実行されたプロセスグループに集合的に含まれる、前述のオペレーションのフローチャートを示している。
【０１６７】
矢印１６０２は、開始オペレーション１６００乃至オペレーション１０００の実行の流れを示している。オペレーション１０００は、図３に関して論じられたオペレーションを実行する。矢印１６０６は、オペレーション１０００乃至オペレーション１６０８の実行を示している。オペレーション１６０８は、このフローチャートのオペレーションを終了させる。
【０１６８】
矢印１６１０は、開始オペレーション１６００乃至オペレーション１０８０までの実行を示している。オペレーション１０８０は、図７に関して論じられたオペレーションを実行する。矢印１６１４は、オペレーション１０８０乃至オペレーション１６０８までの実行を示している。オペレーション１６０８は、このフローチャートのオペレーションを終了させる。
【０１６９】
矢印１６２０は、開始オペレーション１６００乃至オペレーション１２１０までの実行を示している。オペレーション１２１０は、図１３に関して論じられたオペレーションを実行する。矢印１６２４は、オペレーション１２１０乃至オペレーション１６０８の実行を示している。オペレーション１６０８は、このフローチャートのオペレーションを終了させる。
【０１７０】
矢印１６３０は、開始オペレーション１６００乃至オペレーション１３１０の実行を示している。オペレーション１３１０は、図１８に関して論じられたオペレーションを実行する。矢印１６３４は、オペレーション１３１０乃至オペレーション１６０８までの実行を示している。オペレーション１６０８は、このフローチャートのオペレーションを終了させる。
【０１７１】
図３３Ｂは、一実施形態に従った、クライアント２１９０と、立会いコンポーネント３３００、参加者コンポーネント３３２０及びマーケットセグメント３３４０を維持することを含む仮想取引所との間の相互作用を管理する方法を示している。
【０１７２】
別の一実施形態において、立会いコンポーネント３３００を維持するステップは、クライアント２１９０から注文要求メッセージ３３０２を受信するステップと、参加者コンポーネントに対して、回送された注文要求メッセージをつくるために、受信した注文要求メッセージ３３２２を参加者コンポーネント３３２０に送るステップと、有効な注文要求メッセージと、有効な注文要求メッセージに関する関連するクライアントリストメッセージとに基づいて、承認メッセージを受信３３２４するステップと、受信した承認メッセージ及び有効な注文要求に関する関連するクライアントリストを、有効な注文要求メッセージに関するブロードキャストアップデートメッセージを作るために、処理するステップと、ブロードキャストアップデートメッセージ３３０４を関連するクライアントリストの各クライアント２１９０に送信するステップとを含む。
【０１７３】
別の一実施形態において、参加者コンポーネント３３２０を維持するステップは、立会いコンポーネントから回送された注文要求メッセージ３３０２を受信するステップと、参加者データベース３３３０を維持３３３２するステップと、受信され、回送された注文要求メッセージを有効にするステップと、受信され、回送された注文要求メッセージが有効なときにはいつでも、有効な注文要求メッセージに応答するステップとを含む。
【０１７４】
別の一実施形態において、参加者データベースを維持するステップは、受信され、回送された注文要求メッセージ３３３２を参加者データベース３３３０に加えるステップと、受信され、回送された注文要求メッセージを有効にすることは、有効な注文要求メッセージを創り出すために、受信され、回送され注文された要求メッセージに基づく立会いデータベースを検証３３２４及び３３２２することを要求する。
【０１７５】
別の一実施形態において、有効なメッセージに応答するステップは、参加者コンポーネントが以下の行動、即ち有効な注文要求メッセージに基づく承認メッセージ３３２４を立会いコンポーネント３３００に送るステップと、有効な注文要求メッセージに関する関連するクライアントのリストを作成し、且つ有効な注文要求メッセージに関する関連するクライアントリストメッセージを立会いコンポーネント３３００に送る３３２４ステップと、有効な注文要求メッセージに基づいて、マーケット注文要求メッセージ３３４２をマーケットセグメント３３４０に送信するステップと、を実行することよりなる。
【０１７６】
別の一実施形態において、マーケットセグメント３３４０を維持するステップは、以下の行動、即ちマーケット注文要求メッセージ３３４２を受信するステップと、活動中か閉鎖されているかのどちらかの関連するマーケット状態をもつマーケットインタバルから成るマーケットセグメントデータベース３３５０を維持３３５２するステップとを実行することよりなる。活動中のマーケットインタバルのマーケット状態は、総未決買いポジション及び総未決売りポジションから成る。
【０１７７】
別の一実施形態において、マーケットセグメントデータベース３３５０を維持することは、以下の行動、即ち受信したマーケット注文要求３３４２に基づいて、少なくとも一つのマーケットインタバル３３５２のマーケット状態をアップデートするステップと、少なくとも一つのマーケットインタバルの総未決買いポジションと総未決売りポジションを一致させるステップと、マーケットインタバルを閉じるステップとを実行することを含む。
【０１７８】
別の一実施形態において、仮想取引メカニズムデータベースは、仮想取引メカニズムによるマーケット調整及び参加者調整のための読み取り専用データベース３３６０から成る。別の一実施形態において、調停とスケジュールのデータベースは、仮想取引メカニズムによって直接にはアクセスできない。
【０１７９】
図３３Ｃは、別の一実施形態に従った、図２４における系統図として、コンピューティングシステム２０００の改良点を示している。このコンピュータシステムは、ネットワーク２２００に接続されたクライアントコンピュータ集合及びサーバシステム２５００から成る。
【０１８０】
図２４で示したように、クライアントコンピュータ集合は、少なくともクライアント２１９０に操作２１９２されるクライアントコンピュータ２６００を含んでいる。別の一実施形態において、クライアントコンピュータ２６１０は、クライアント２１００としての人間によって操作２１０４される。一定の他の更なる実施形態において、クライアントコンピュータ２６２０は、クライアント２１２０としての企業体によって操作２１２４される。一定の他の更なる実施形態において、クライアントコンピュータ２６３０は、クライアント２１４０としての権限を付与された代理人によって操作２１４４される。第一の当事者は、ＡＣ電力転送の契約を結ぶことに関して第一の当事者に代わって活動するよう、第一の当事者によって権限を与えられた代理人によって代理される。
【０１８１】
図２４で示したように、サーバシステム２５００は、ネットワーク２２００に接続２５２８されたサーバコンピュータ２５２０を含んでいる。別の一実施形態において、サーバシステム２５００は、ネットワーク２２００に接続２５３８されたサーバコンピュータ２５３０を含んでいる。別の一実施形態において、サーバシステム２５００は、ネットワーク２２００に接続２５４８されたサーバコンピュータ２５４０を含んでいる。別の一実施形態において、サーバシステム２５００は、ネットワーク２２００に接続２５５８されたサーバコンピュータ２５５０を含んでいる。ここで留意すべきことは、一定の別の更なる実施形態において、より多くのサーバコンピュータが、ネットワークに接続され得るということである。
【０１８２】
図２４で示したように、ネットワーク２２００は、更にクライアントコンピュータ２６００、２６１０、２６２０、２６３０及び２６４０を個々に接続２６０２、２６１２、２６２２、２６３２及び２６４２する。ネットワーク２２００は、クライアントコンピュータとサーバシステム２５００の少なくとも１台のサーバコンピュータ２５２０との間のコミュニケーションを少なくともサポートする。本明細書では、ネットワークという用語は、ローカルエリアネットワーク（ＬＡＮ）を指すのみならず、ワイドエリアネットワーク（ＷＡＮ）も指している。本明細書でいうネットワークにサポートされたコミュニケーションは、デジタルコミュニケーションプロトコル、同様に、アナログコミュニケーションプロトコル等を含んでいる。更に本明細書でいうネットワークにサポートされたコミュニケーションは、メッセージ伝達プロトコル及びパケットベースプロトコル等を含んでいる。更に本明細書でいうネットワークにサポートされたコミュニケーションは、ＴＣＰ／ＩＰを含むコミュニケーションプロトコル等を含んでいる。更に本明細書でいうネットワークにサポートされたコミュニケーションは、インタネットをサポートするコミュニケーションプロトコル等を含んでいる。更に本明細書でいうネットワークにサポートされたコミュニケーションは、Ｗｏｒｌｄ Ｗｉｄｅ Ｗｅｂをサポートするコミュニケーションプロトコル等を含んでいる。
【０１８３】
図２４で示したように、別の一実施形態において、クライアントコンピュータ集合は、少なくとも接続２６０４されたコンピュータ読み取り可能な記憶装置２６０６をもち、クライアント２１９０によって操作２１９２される１台のクライアントコンピュータ２６００を含んでいる。別の一実施形態において、接続２６１４されたコンピュータ読み取り可能な記憶装置２６１６をもつ、１台のクライアントコンピュータ２６１０は、クライアント２１９０としての人間によって操作２１０４される。一定の他の更なる実施形態において、接続２６２４されたコンピュータ読み取り可能な記憶装置２６２６をもつ、１台のクライアントコンピュータ２６２０は、クライアント２１２０としての企業体によって操作２１２４される。一定の他の更なる実施形態において、接続２６３４されたコンピュータ読み取り可能な記憶装置２６３６をもつ、１台のクライアントコンピュータ２６３０は、クライアント２１４０としての権限のある代理人によって操作２１４４される。
【０１８４】
図２４で示したように、別の一実施形態において、接続２６１４されたコンピュータ読み取り可能な記憶装置２６１６をもち、クライアント２１００によって操作２１０４される１台のクライアントコンピュータ２６１０は、さらにコンピュータ読み取り可能な記憶装置２６０６に接続２１９４されている。別の一実施形態において、接続２６４４されたコンピュータ読み取り可能な記憶装置２６４６をもつ、１台のクライアントコンピュータ２６４０は、クライアント２１６０としてのソフトウェアエージェントによって操作２１６４される。一定の別の更なる実施形態において、接続２１９４は、マクロスタイル機能及び標準契約フォーム等のクライアント２１９０によって採用された各種の個人的最適化とショートカットを備えている。
【０１８５】
図２４で示したように、一定の別の更なる実施形態において、サーバシステム２５００は、コンピュータ読み取り可能な記憶装置２５２６に接続２５２４された、少なくとも１台のサーバコンピュータ２５２０を含んでいる。加えて、別の一実施形態において、サーバシステム２５００は、コンピュータ読み取り可能な記憶装置２５３６に接続２５３４されたサーバコンピュータ２５３０を含んでいる。加えて、別の一実施形態において、サーバシステム２５００は、コンピュータ読み取り可能な記憶装置２５４６に接続２５４４されたサーバコンピュータ２５４０を含んでいる。加えて、別の一実施形態において、サーバシステム２５００は、コンピュータ読み取り可能な記憶装置２５５６に接続２５５４されたサーバコンピュータ２５５０を含んでいる。
【０１８６】
ここで留意すべきことは、別の一実施形態において、コンピュータ読み取り可能な記憶装置に接続されたサーバコンピュータが、読み書き可能なメモリを含み得るということである。ここで留意すべきことは、別の一実施形態において、読み書き可能なメモリが、少なくとも一つの大容量記憶装置を含み得るということである。別の一実施形態において、大容量記憶装置は、ディスクドライブを含み得る。別の一実施形態において、大容量記憶装置は、ファイルマネジメントシステムを用いてアクセスされ得る。別の一実施形態において、大容量記憶装置は、データベースとしてアクセスされる。
【０１８７】
一実施形態は、関連するメッセージアドレスをもつサーバコンピュータを含むサーバシステムから成る、信頼性ある分散システムに接続された、クライアントコンピュータメッセージアドレスをもつクライアントコンピュータを操作する方法を含んでいる。その方法は、ログイン処理、信頼性ある分散システムへのメッセージ送信のためのメッセージ作成処理、及び信頼性ある分散システムからのメッセージ受信のためのメッセージ分析処理を含んでいる。
【０１８８】
別の一実施形態において、ログイン処理は、分散システムのコンピュータ集合のメッセージアドレスのリスト、最初のログインメッセージ及びログインプロトコルを維持し、以下のことを実行する。即ち：
サーバシステムの第一のサーバコンピュータが選択され、最初のログインメッセージが第一サーバコンピュータの関連するアドレスに送られる。
もし、第一のサーバコンピュータメッセージアドレスから受け取った最初の承認メッセージがあるならば、その時はログイン処理は、ログインプロトコルの実行を続ける。
ログインプロトコルが第一のサーバコンピュータに対して機能しない時はいつでも、又は、
予め決められた時間量内に第一のサーバコンピュータからの承認メッセージがないときはいつでも、又は
サーバシステムの中に、まだログインが試みられていないコンピュータが残っているときはいつでも、
サーバシステムの残りのサーバコンピュータから第一のサーバコンピュータが選択され且つこれらのステップが繰り返される。
ｄ．  ログインプロトコルが第一のサーバコンピュータに対して成功したときはいつでも、第一サーバコンピュータは、接続コンピュータとして指定される。
別の一実施形態において、分散システムへの送信メッセージのためのメッセージ作成処理は、メッセージフォーマットのリストを維持するステップと、第一メッセージフォーマットの選択を決定するステップと、アウトバウンドメッセージを作るために、第一メッセージフォーマットを用いるステップと、接続コンピュータにアウトバウンドメッセージを送るステップとを実行することを含む。
【０１８９】
別の一実施形態において、分散システムからの受信メッセージに対するメッセージ分析処理は、接続コンピュータからメッセージを受け取るステップを含む。受け取ったメッセージを有効にすることで、有効な受け取りメッセージが作成される。
【０１９０】
一実施形態は、メッセージの通過をサポートする、オブジェクトクラスストラクチャを採用し、各メッセージは、メッセージタイプと少なくとも一つのメッセージフィールドから成る。各メッセージ−通過オブジェクトは、不明のメッセージタイプを取り扱うこと及び不明のメッセージフィールドを取り扱うことからなる。
【０１９１】
別の一実施形態において、第一オブジェクトから受け取ったメッセージに関して不明なメッセージタイプを、第二オブジェクトによって取り扱うことは、第一オブジェクトが第二オブジェクトへ不明な受け取りメッセージのタイプを表示する返信メッセージを送ること及び受け取りメッセージの照会から成る。
【０１９２】
別の一実施形態において、第二オブジェクトによって受け取られたメッセージの不明メッセージフィールドを取り扱うステップは、第二オブジェクトによって受け取られたメッセージの他のフィールドを取り扱うステップを含む。
【０１９３】
一実施形態は、有資格のクライアントからの確認されたメッセージを受け取ること及び、いくつかのコンピュータ上を走り、グループ状態を維持することを含む、少なくとも一つのプロセスグループを含む集合の、信頼性のある分散システムを操作する方法を採用する。各プロセスグループコンピュータは、メッセージングアドレスをもっている。プロセスグループのコンピュータは、仮想的に同期するメッセージシステムによって、それら自身の間でコミュニケーションをとる。
【０１９４】
別の一実施形態において、有資格のクライアントからの確認されたメッセージを受け取ることは、プロセスグループが走るコンピュータの第一集合の１台のコンピュータで生じる。受信すると受信コンピュータは、コンピュータの第一集合の全てのコンピュータに対して有資格のクライアントからの確認されたメッセージをブロードキャストする。
【０１９５】
別の一実施形態において、プロセスグループのコンピュータの第一集合の各コンピュータ上のグループ状態を維持することは、下記のオペレーションから成る：各コンピュータは、有資格者からの確認されたメッセージを処理してグループ状態候補を創り出す。各コンピュータが、他のコンピュータに対し仮想的に同期するグループ状態候補メッセージをブロードキャストすること。各コンピュータは、他のコンピュータの仮想的に同期するグループ状態候補メッセージを受け取る。各コンピュータは、受け取った仮想的に同期するグループ状態候補メッセージ及びそれ自身の仮想的に同期するグループ状態候補メッセージを分析して新しいグループ状態を創り出す。
【０１９６】
一実施形態は、ＡＢＣＡＳＴプロトコルとＧＢＣＡＳＴプロトコルからなるコンピュータの集合に属する、それぞれがコントローラをもつコンピュータにそのインスタンスが存在する、メッセージが通過するコンカレントオブジェクトのためのメッセージングシステムを採用する。ＡＢＣＡＳＴプロトコルは、コンピュータ集合のコンピュータを越えて、オブジェクトインスタンス間でのメッセージをやり取りするために用いられるアトミックブロードキャストプロトコルである。ＧＢＣＡＳＴプロトコルは、コンピュータ集合のコンピュータのコントローラ間でメッセージをやり取りするためのグローバルブロードキャストプロトコルである。
【０１９７】
一実施形態は、少なくとも仮想的同期性をサポートするメッセージングプロトコルを介してお互いにコミュニケートするコンピュータのプロセスグループにおいて実行するオブジェクトクラスストラクチャを採用する。オブジェクトクラスストラクチャの各オブジェクトの各インスタンスは、各プロセスグループコンピュータ上で読み込んでいるオブジェクトインスタンスクローンから成る。
【０１９８】
別の一実施形態において、各オブジェクトインスタンスは、他のオブジェクトインスタンスからメッセージを送信及び受信し、各インスタンスクローンは、同じオブジェクトインスタンスの他のオブジェクトインスタンスクローンにメッセージを伝える。
【０１９９】
別の一実施形態において、各オブジェクトクラスは、状態の集合の一員である状態をもっている。各オブジェクトクラス状態の各インスタンスは、原子的イベントとして変化する。各オブジェクトクラスの全ての活動は、原子的イベントとして生じる。原子的イベントは、メッセージ受信によって引き起こされるだろう。オブジェクトインスタンスクローンにおける状態の変化は、同じオブジェクトインスタンスの他のオブジェクトインスタンスクローンへの状態変化メッセージの伝達を引き起こす。
【０２００】
一実施形態において、コンカレントなコンピューティングエンティテイは、バイナリファイルへのそれ自身のアクセスが、弾力的なオブジェクトインスタンス状態を蓄えるために用いられる場所の、コンピュータのプロセスグループの各コンピュータに存在する。それは、トランザクションとしてバイナリファイルに対する更新を実行する。バイナリファイルにおける蓄積は、テーブルオブジェクトの中に組織化される。各テーブルオブジェクトは、一連の記録から構成される。
【０２０１】
図３４は、一実施形態に従った、特定のエネルギマーケットのためのマーケットインタバルに基づいて１時間のタイムインタバルで注文画面を示すクライアントコンピュータ上で稼動する有資格のクライアントのユーザインタフェースの様子を示している。
【０２０２】
図３５は、一実施形態に従った、特定のエネルギマーケットのためのマーケットインタバルに基づく、毎日のピーク時のタイムインタバルの間の注文画面を示すクライアントコンピュータ上で稼動する有資格クライアントのユーザインタフェースの様子を示している。
【０２０３】
図３６は、一実施形態に従った、特定のフローゲートマーケットのためのマーケットインタバルに基づく、１時間のタイムインタバルの間の注文画面を示すクライアントコンピュータ上で稼動する有資格クライアントのユーザインタフェースの様子を示している。
【０２０４】
表示された情報４２００は、特定のフローゲート或いはインタティが選択される、フィールド４２０２を含む種々のフィールドを含んでいる。そのフィールドの真下は、商品タイプ、この場合は「１時間のフローゲート」、を特定するフィールドである。４２０４によって表示された行は、現在のマーケット価格を表している。その右の行は、落札された商品の量を表示している。ボックス４２０６は、二つのコラム状のコンポーネントを示している。左のコンポーネントは、競売の買い注文量を表し、右のコンポーネントは、各列の単位量当りの入札価格を表している。ここで留意すべきことは、各列が、他のマーケットインタバルとは独立して取引する別個のマーケットインタバルを表しているということである。
前述の各実施形態は、例として与えられたものであり、前記特許請求の範囲を制限するものではない。
【図面の簡単な説明】
【図１】
従来技術に基づいた現行のＡＣ電力技術に基づく、例示的ＡＣ電力ネットワークを示す図である。
【図２】
従来技術で開示された図１の例示的ＡＣ電力ネットワークの、様々なノードの各バスに対するフローゲートの集合の、各フローゲートに関する関連するＡＣ電力転送関数の一覧表を示す図である。
【図３】
一実施形態従って、ＡＣ電力ネットワークへのＡＣ電力転送の契約をなすことを示す図である。
【図４】
一実施形態に従った、フローゲート集合の各フローゲートへの関連するＡＣ電力転送の契約をなす図３の詳細なオペレーション１００４を示す図である。
【図５】
一実施形態に従った、最初のタイムインタバルの間に行われるＡＣ電力転送の契約をなす時の図３のオペレーション１００４の詳細を示す図である。
【図６】
一実施形態に従った、少なくとも最初のタイムインタバルの間に行われるフローゲート集合の各フローゲートへの関連するＡＣ電力転送の契約をなす図４のオペレーション１０２２の詳細を示す図である。
【図７】
一実施形態に従った、一つのＡＣ電力ネットワークへの少なくとも二つのＡＣ電力転送のＡＣ電力転送集合の契約をなすフローチャートを示す図である。
【図８】
一実施形態に従った、フローゲート集合の各フローゲートへのＡＣ電力転送集合の各電力転送に対する、若干の関連するＡＣ電力転送の契約をなすことを実行する図７のオペレーション１０８４の詳細なフローチャートを示す図である。
【図９】
一実施形態に従った、フローゲート集合の各フローゲート上の関連する最大安全搬送容量を満足させるＡＣ電力転送集合の各ＡＣ電力転送のための、若干の関連するＡＣ電力転送を実行する図８のオペレーション１１０２の詳細なフローチャートを示す図である。
【図１０】
一実施形態に従った、最初のタイムインタバルの間に行われるＡＣ電力転送集合の各ＡＣ電力転送に対する、各若干の関連するＡＣ電力転送の契約をなすことを実行する図８のオペレーション１１０２の詳細なフローチャートを示す図である。
【図１１】
一実施形態に従った、本質的には、関連する第一ノード乃至関連する第二ノードの、関連するエネルギ量の一次、非対称関数としての、フローゲート集合の各フローゲートへの関連するＡＣ電力転送のエネルギ量の契約をなすことを実行する図８のオペレーション１１０２の詳細なフローチャートを示す図である。
【図１２】
一実施形態に従った、ＡＣ電力転送取引権を所有する第一の当事者によって合意された契約を創り出すために、ＡＣ電力ネットワークへのＡＣ電力転送の契約をなし、それらの権利がさらに契約されることを可能にする図３のオペレーション１００４の詳細を示す図である。
【図１３】
一実施形態に従った、フローゲート集合を持つＡＣ電力ネットワークへのＡＣ電力転送をスケジューリングするフローチャートを示す図である。
【図１４】
第一の当事者が、その所有するＡＣ電力転送取引権を、合意された契約のＡＣ電力転送のスケジューリング前に、売却するために更に契約をなすことを可能にすることを実行する図１２のオペレーション１１８６の詳細なフローチャートを示した図である。
【図１５】
最初のタイムインタバルの前に生じる合意された契約に対する、ＡＣ電力転送のスケジューリングを実行する図１３のオペレーション１２１０の詳細なフローチャートを示す図である。
【図１６】
フローゲート集合のフローゲートの関連するＡＣ電力転送が、最初のタイムインタバルの間に、フローゲート集合の各フローゲートに対して、フローゲートの関連する最大安全搬送容量を満足させるかどうかを決定することを実行する図１３のオペレーション１２１４の詳細なフローチャートを示す図である。
【図１７】
フローゲートの関連するＡＣ電力転送が、最初のタイムインタバルの間に、フローゲート集合の各フローゲートに対する最大安全搬送容量を満足させているときはいつでも、最初のタイムインタバルの間にＡＣ電力転送を承認することを実行する図１３オペレーション１２１８の詳細なフローチャートを示す図である。
【図１８】
フローゲート集合の各フローゲートへの関連するＡＣ電力転送を伴うＡＣ電力転送取引権を所有する第一の当事者による合意された契約を創出するために、少なくとも一つのＡＣ電力転送からなるＡＣ電力転送の集合の契約をなすことを実行するフローチャートを示す図である。
【図１９】
フローゲート集合の各フローゲートに対するＡＣ電力転送の集合に対して、関連するＡＣ電力転送の契約を創出するために、ＡＣ電力転送集合の全てのＡＣ電力転送に対する若干の関連するＡＣ電力転送の契約をなすことを実行する図１８のオペレーション１３１４の詳細なフローチャートを示す図である。
【図２０】
フローゲート集合の各フローゲートのＡＣ電力転送の、関連する第一ノード乃至第二ノードのＡＣ電力転送のエネルギ量の、本質的には、一次、非対称の関連する関数であるエネルギ量としてのＡＣ電力転送の、フローゲートへの関連するＡＣ電力転送の計算を実行する図１９のオペレーション１３３２の詳細なフローチャートを示す図である。
【図２１】
第一の当事者が、フローゲート集合の第一番目のフローゲートに対する関連するＡＣ電力転送のために、第一の当事者が所有するＡＣ電力転送取引権を売却するために更に契約することを可能にすることを実行する図１２のオペレーション１１８６の詳細なフローチャートを示す図である。
【図２２】
第一の当事者が、フローゲート集合の各フローゲートに対して関連するＡＣ電力転送のために、第一の当事者が所有するＡＣ電力転送取引権を売却するために更に契約することを可能にすることを実行する図１２のオペレーション１１８６の詳細なフローチャートを示す図である。
【図２３】
一実施形態に従った、フローゲート集合をもつＡＣ送電網へのＡＣ電力転送の契約をなすことをサポートするコンピューティングシステム２０００の簡略化されたシステムブロックを示す図である。
【図２４】
別の一実施形態に従った、図２３における系統図として、コンピューティングシステム２０００の改良点を示す図である。
【図２５Ａ】
第一の当事者としてのクライアントコンピュータの第一番を操作する、クライアントの第一番を特定することを行う図３のオペレーション１０００の詳細なフローチャートを示す図である。
【図２５Ｂ】
第一の当事者として、第一のクライアントコンピュータを操作する第一のクライアントユーザのフローチャートを示す図である。
【図２６】
第一のクライアントの刺激、反応及びサーバシステムの第一のサーバコンピュータとのネットワークコミュニケーションに関連するオペレーションを実行する図２５Ｂのオペレーション１４３４の詳細なフローチャートを示す図である。
【図２７】
受信したサーバデリバリストリームを創り出すために、ネットワークを介して、第一のクライアントコンピュータとコミュニケーションを行うことを実行する図３のオペレーション１００４の詳細なフローチャートを示す図である。
【図２８】
一実施形態に従った、有効な注文と、関連するマーケット状態をもつマーケットインタバルを含む、仮想取引所３０００を示す図である。
【図２９】
フローゲート集合の各フローゲートに対するＡＣ電力転送の取引のためのマーケットインタバルを含む仮想取引フロアの運営をサポートすることを実行する図３のオペレーション１００４の詳細なフローチャートを示す図である。
【図３０】
一実施形態に従った、注文を集めること及び契約を創り出すことを実行する図２９のオペレーション１５１２の詳細なフローチャートを示す図である。
【図３１】
有効な注文集合の有効な注文の第一の買いタイプ注文及び有効な注文集合の有効な注文の第一の売りタイプ注文に基づいて、ＡＣ電力転送の契約をなす図３のオペレーション１００４の詳細なフローチャートを示す図である。
【図３２】
有効な注文集合の有効な注文の第一の買いタイプ注文及び有効な注文集合の有効な注文の第一の売りタイプ注文に基づいて、フローゲート集合の各フローゲートへの関連するＡＣ電力転送を含むＡＣ電力転送取引権を所有する第一の当事者によって合意された契約を創り出すために、ＡＣ電力ネットワークへのＡＣ電力転送の契約をなすことを実行する図１２のオペレーション１１８２の詳細なフローチャートを示す図である。
【図３３Ａ】
一実施形態に従った、信頼性のあるサーバシステム上で実行されたプロセスグループに集合的に含まれる、前述したオペレーションのフローチャートを示す図である。
【図３３Ｂ】
一実施形態に従った、クライアント２１９０と、立会いコンポーネント３３００、参加者コンポーネント３３２０及びマーケットセグメント３３４０を維持することを含む仮想取引所との間の相互作用を管理する方法を示す図である。
【図３３Ｃ】
別の一実施形態に従った、図２４における系統図として、コンピューティングシステム２０００の改良点を示す図である。
【図３４】
一実施形態に従った、特定のエネルギマーケットのためのマーケットインタバルに基づいて１時間のタイムインタバルで注文画面を示すクライアントコンピュータ上で稼動する有資格のクライアントのユーザインタフェースを示す図である。
【図３５】
一実施形態に従った、特定のエネルギマーケットのためのマーケットインタバルに基づく、毎日のピーク時のタイムインタバルの間の注文画面を示すクライアントコンピュータ上で稼動する有資格クライアントのユーザインタフェースを示す図である。
【図３６】
一実施形態に従った、特定のフローゲートマーケットのためのマーケットインタバルに基づく、１時間のタイムインタバルの間の注文画面を示すクライアントコンピュータ上で稼動する有資格クライアントのユーザインタフェースを示す図である。
【符号の説明】
２０００  コンピューティングシステム
２１００  クライアント
２１４０  クライアント
２１９０  クライアント
２２００  ネットワーク
２５００  サーバシステム
２６００  コンピュータ
２６０６  記憶装置
２６１６  コンピュータ読取り可能記憶装置
２６１０  クライアントコンピュータ
３０００  仮想取引所メカニズム
３１００  マーケットインタバル
【図１】
2004500794.tif 000003
【図２】
2004500794.tif 000004
【図３】
2004500794.tif 000005
【図４】
2004500794.tif 000006
【図５】
2004500794.tif 000007
【図６】
2004500794.tif 000008
【図７】
2004500794.tif 000009
【図８】
2004500794.tif 000010
【図９】
2004500794.tif 000011
【図１０】
2004500794.tif 000012
【図１１】
2004500794.tif 000013
【図１２】
2004500794.tif 000014
【図１３】
2004500794.tif 000015
【図１４】
2004500794.tif 000016
【図１５】
2004500794.tif 000017
【図１６】
2004500794.tif 000018
【図１７】
2004500794.tif 000019
【図１８】
2004500794.tif 000020
【図１９】
2004500794.tif 000021
【図２０】
2004500794.tif 000022
【図２１】
2004500794.tif 000023
【図２２】
2004500794.tif 000024
【図２３】
2004500794.tif 000025
【図２４】
2004500794.tif 000026
【図２５Ａ】
2004500794.tif 000027
【図２５Ｂ】
2004500794.tif 000028
【図２６】
2004500794.tif 000029
【図２７】
2004500794.tif 000030
【図２８】
2004500794.tif 000031
【図２９】
2004500794.tif 000032
【図３０】
2004500794.tif 000033
【図３１】
2004500794.tif 000034
【図３２】
2004500794.tif 000035
【図３３Ａ】
2004500794.tif 000036
【図３３Ｂ】
2004500794.tif 000037
【図３３Ｃ】
2004500794.tif 000038
【図３４】
2004500794.tif 000039
【図３５】
2004500794.tif 000040
【図３６】
2004500794.tif 000041
【国際公開パンフレット】
2004500794.tif 000042
2004500794.tif 000043
2004500794.tif 000044
2004500794.tif 000045
2004500794.tif 000046
2004500794.tif 000047
2004500794.tif 000048
2004500794.tif 000049
2004500794.tif 000050
2004500794.tif 000051
2004500794.tif 000052
2004500794.tif 000053
2004500794.tif 000054
2004500794.tif 000055
2004500794.tif 000056
2004500794.tif 000057
2004500794.tif 000058
2004500794.tif 000059
2004500794.tif 000060
2004500794.tif 000061
2004500794.tif 000062
2004500794.tif 000063
2004500794.tif 000064
2004500794.tif 000065
2004500794.tif 000066
2004500794.tif 000067
2004500794.tif 000068
2004500794.tif 000069
2004500794.tif 000070
2004500794.tif 000071
2004500794.tif 000072
2004500794.tif 000073
2004500794.tif 000074
2004500794.tif 000075
2004500794.tif 000076
2004500794.tif 000077
2004500794.tif 000078
2004500794.tif 000079
2004500794.tif 000080
2004500794.tif 000081
2004500794.tif 000082
2004500794.tif 000083
2004500794.tif 000084
2004500794.tif 000085
2004500794.tif 000086
2004500794.tif 000087
2004500794.tif 000088
2004500794.tif 000089
2004500794.tif 000090
2004500794.tif 000091
2004500794.tif 000092
2004500794.tif 000093
2004500794.tif 000094
2004500794.tif 000095
2004500794.tif 000096
2004500794.tif 000097
2004500794.tif 000098
2004500794.tif 000099
2004500794.tif 000100
2004500794.tif 000101
2004500794.tif 000102
2004500794.tif 000103
2004500794.tif 000104
2004500794.tif 000105
2004500794.tif 000106
2004500794.tif 000107
2004500794.tif 000108
2004500794.tif 000109
2004500794.tif 000110
2004500794.tif 000111
2004500794.tif 000112
2004500794.tif 000113
2004500794.tif 000114
2004500794.tif 000115
2004500794.tif 000116
2004500794.tif 000117
2004500794.tif 000118
2004500794.tif 000119
2004500794.tif 000120
2004500794.tif 000121
2004500794.tif 000122
【国際調査報告】
2004500794.tif 000123
2004500794.tif 000124
2004500794.tif 000125
2004500794.tif 000126